(57)【要約】  【課題】把持部を握って掃除を行ないやすい電気掃除機用吸込具を提供する。  【解決手段】所定の厚みを有し、その厚み方向に略直交する一方向に沿って長尺形状に形成され、上記厚み方向の一方面としての底面に、床面上の塵埃を吸い込むための吸込口１６が形成された吸込部２を備え、吸込部２の厚み方向に略直交する短手方向の一方面には、吸込部２の底面が床面に対向する基本姿勢のときには現れないが、吸込部２の短手方向の一方面が床面に対向する状態で直立した直立姿勢のときに現れるサブ吸込口１９が形成されており、吸込部本体１１を回動させて、吸込部本体１１の底面が床面Ｆに対向する状態（基本姿勢）から、吸込部本体１１の前面が床面Ｆに対向する状態で直立した姿勢（直立姿勢）とすることができる。【選択図】        図９
2008012362.tif 000002
【特許請求の範囲】
【請求項１】
電気掃除機本体に接続され、床面上の塵埃を吸い込んで、上記電気掃除機本体側へ送るための電気掃除機用吸込具であって、
所定の厚みを有し、その厚み方向に略直交する一方向に沿って長尺形状に形成され、上記厚み方向の一方面としての底面に、床面上の塵埃を吸い込むための吸込口が形成された吸込部を備え、
上記吸込部の上記厚み方向に略直交する短手方向の一方面には、上記吸込部の上記底面が床面に対向する基本姿勢のときには現れないが、上記吸込部の上記短手方向の一方面が
床面に対向する状態で直立した直立姿勢のときに現れるサブ吸込口が形成されていることを特徴とする電気掃除機用吸込具。
【請求項２】
上記吸込部が上記基本姿勢のときには、上記サブ吸込口を閉塞し、上記吸込部が上記直立姿勢のときには、床面に当接して変位することにより、上記サブ吸込口を開放することができる開閉部をさらに備えることを特徴とする請求項１記載の電気掃除機用吸込具。
【請求項３】
上記吸込部が上記基本姿勢のときに、床面に当接して上記吸込部側に変位する変位部材と、
上記変位部材の変位を検知する検知手段と、
上記開閉部により上記サブ吸込口が開放されることに連動して、上記変位部材を上記吸込部側に変位した状態で保持する手段とをさらに備えることを特徴とする請求項２記載の電気掃除機用吸込具。
【請求項４】
上記吸込部が上記直立姿勢のときに、上記吸込口を閉塞する手段をさらに備えることを特徴とする請求項１〜３のいずれかに記載の電気掃除機用吸込具。
【請求項５】
上記吸込部が上記直立姿勢となり、上記開閉部が床面に当接して変位することにより上記サブ吸込口が開放されることに連動して、上記吸込口を閉塞する手段をさらに備えることを特徴とする請求項２記載の電気掃除機用吸込具。
【発明の詳細な説明】
【技術分野】
【０００１】
この発明は、電気掃除機本体に接続され、被清掃面上の塵挨を吸い込んで、電気掃除機本体側へ送るための吸込具に関する。
【背景技術】
【０００２】
電気掃除機は、一般に、電動送風機を備えた本体と、本体に後端が取り付けられ、その先端には操作部が備えられた吸込ホースと、吸込ホースの操作部に後端が接続され、その先端側には吸込具が接続される吸込パイプとを有している。ユーザは、操作部に設けられたグリップを握り、吸込具を被清掃面に沿って前後に移動させることにより、清掃を行う。
【０００３】
従来の吸込具は、前後に移動される際に効率良く被清掃面の塵挨を吸い込めるよう、吸込パイプにいわゆるＴ字状に接続される形状をしている。すなわち、吸込具は、所定の幅、厚みおよび奥行を有するハウジングを有していて、ハウジングの幅方向は厚みおよび奥行に比べて長くされている。そしてハウジングの幅方向中央に接続筒が設けられ、接続筒が吸込パイプの先端に連結される。
【０００４】
ユーザは、操作部に備えられたグリップを握り、吸込パイプの先端に連結された吸込具を、ハウジングの幅方向が吸込パイプの長さ方向に対してほぼ直交方向になる状態にし、吸込具を前後させて清掃を行う。これにより、被清掃面をハウジングの幅単位で効率良く清掃することが可能である。
【０００５】
ところで、被清掃面には、面積の広い床面中央部だけではなく、床面隅の壁との境界部、ベッドの下、壁と家具との隙間等もあり、かかる被清掃面に対しても、吸込具によって良好に塵挨が捕獲できなければならない。
【０００６】
そこで従来、吸込具は、吸込パイプに対して回動可能になっており、吸込パイプの先端で、吸込具がその角度や方向を変えられるようにされている。
【０００７】
このような構成の一例が、特開平１０−２６２８７８号公報（特許文献１）の第１９図などに示されている。
【特許文献１】特開平１０−２６２８７８号公報
【発明の開示】
【発明が解決しようとする課題】
【０００８】
特許文献１に提案されている構成では、吸込パイプの先端に取り付けられた吸込具は、ハウジングの幅方向を吸込パイプの長さ方向と平行な方向になるように、吸込具を回動させることができる。これにより、吸込具はハウジングの奥行方向以上の隙間があれば、その隙間に挿入することができ、清掃を行えるというものである。
【０００９】
しかしながら、特許文献１に提案されている構成では、吸込具のハウジングの奥行方向長さよりも狭い幅しかない隙間には、吸込具を挿入することはできず、清掃を行うことができない。ところが、家具と壁との隙間や、家具と家具との隙間は、吸込パイプがようやく入る程度の狭い幅しかないことが多い。そのため、従来は、吸込具を吸込パイプから外して、吸込パイプの先端等を用いて隙間清掃を行っている場合があった。
【００１０】
そこでこの発明は、上述のような狭い隙間であっても、吸込具を用いて良好に清掃できるように改良された電気掃除機を提供することを主たる目的とする。
【００１１】
またこの発明は、グリップを握って清掃を行い易く、特に、被清掃面が狭い隙間の場合であっても、グリップを握って吸込具が操作し易い電気掃除機を提供することを他の目的
とする。
【００１２】
さらにこの発明は、被清掃面が広い場合であっても、狭い場合であっても、それに適した形態に切り換わる電気掃除機用吸込具を提供することを目的とする。
【００１３】
さらにこの発明は、隙間清掃が安定してかつ良好に行える電気掃除機用吸込具を提供することを目的とする。
【課題を解決するための手段】
【００１４】
請求項１記載の発明は、電気掃除機本体に接続され、床面上の塵埃を吸い込んで、上記電気掃除機本体側へ送るための電気掃除機用吸込具であって、所定の厚みを有し、その厚み方向に略直交する一方向に沿って長尺形状に形成され、上記厚み方向の一方面としての底面に、床面上の塵埃を吸い込むための吸込口が形成された吸込部を備え、上記吸込部の上記厚み方向に略直交する短手方向の一方面には、上記吸込部の上記底面が床面に対向する基本姿勢のときには現れないが、上記吸込部の上記短手方向の一方面が床面に対向する状態で直立した直立姿勢のときに現れるサブ吸込口が形成されていることを特徴とする電気掃除機用吸込具である。
【００１５】
請求項２記載の発明は、上記吸込部が上記基本姿勢のときには、上記サブ吸込口を閉塞し、上記吸込部が上記直立姿勢のときには、床面に当接して変位することにより、上記サブ吸込口を開放することができる開閉部をさらに備えることを特徴とする請求項１記載の電気掃除機用吸込具である。
【００１６】
請求項３記載の発明は、上記吸込部が上記基本姿勢のときに、床面に当接して上記吸込部側に変位する変位部材と、上記変位部材の変位を検知する検知手段と、上記開閉部により上記サブ吸込口が開放されることに連動して、上記変位部材を上記吸込部側に変位した状態で保持する手段とをさらに備えることを特徴とする請求項２記載の電気掃除機用吸込具である。
【００１７】
請求項４記載の発明は、上記吸込部が上記直立姿勢のときに、上記吸込口を閉塞する手段をさらに備えることを特徴とする請求項１〜３のいずれかに記載の電気掃除機用吸込具である。
【００１８】
請求項５記載の発明は、上記吸込部が上記直立姿勢となり、上記開閉部が床面に当接して変位することにより上記サブ吸込口が開放されることに連動して、上記吸込口を閉塞する手段をさらに備えることを特徴とする請求項２記載の電気掃除機用吸込具である。
【発明の効果】
【００１９】
請求項１の構成によれば、広い床面上を掃除する際には、吸込部を基本姿勢とすることにより、吸込部の底面に形成された吸込口から塵埃を良好に吸い込むことができる。一方、床面上の狭い隙間を掃除する際には、吸込部を直立姿勢とすることにより、吸込部の短手方向の長さよりも狭い幅の隙間に吸込部を挿入して、サブ吸込口から塵埃を良好に吸い込むことができる。したがって、より狭い隙間の掃除を良好に行うことができる。
【００２０】
請求項２の構成によれば、吸込部が基本姿勢のときには、サブ吸込口を開閉部で閉塞することにより、吸込口から塵埃を良好に吸い込むことができ、吸込部が直立姿勢のときには、サブ吸込口を開放することにより、サブ吸込口から塵埃を良好に吸い込むことができる。
【００２１】
請求項３の構成によれば、吸込部が基本姿勢のときには、変位部材が底面に当接することにより、変位部材が吸込部側に変位した状態となり、吸込部が直立姿勢のときには、開閉部が床面に当接して変位し、サブ吸込口が開放されることに連動して、変位部材が吸込部側に変位した状態となる。したがって、たとえば、吸込部が基本姿勢または直立姿勢のときには、変位部材が変位したことを検知手段で検知して、吸込部に備えられた回転ブラシの回転を継続させることができる一方、吸込部が上下反転した姿勢となったときなどには、変位部材が変位しないことを検知手段で検知して、回転ブラシの回転を停止させることにより、安全性を向上することができる。
【００２２】
また、吸込部が直立姿勢のときには、変位部材が吸込部側に変位した状態となるので、吸込部に対する変位部材の突出量が小さくなり、より狭い隙間に吸込部を挿入することができる。したがって、狭い隙間の掃除をさらに良好に行うことができる。
【００２３】
請求項４の構成によれば、吸込部が直立姿勢のときには、吸込口が閉塞されるので、サブ吸込口から塵埃を良好に吸い込むことができ、狭い隙間の掃除をさらに良好に行うこ
とができるとともに、回転ブラシが露出したまま回転するのを防止できるので、安全性が向上する。
【００２４】
請求項５の構成によれば、吸込部が直立姿勢のときには、開閉部が床面に当接して変位することによりサブ吸込口が開放されることに連動して、吸込口が閉塞されるので、サブ吸込口から塵埃を良好に吸い込むことができ、狭い隙間の掃除をさらに良好に行うことができるとともに、回転ブラシが露出したまま回転するのを防止できるので、安全性が向上する。
【発明を実施するための最良の形態】
【００２５】
図１は、この発明の一実施形態に係る電気掃除機２００の右側面図である。
【００２６】
以下、説明の便宜上、図１において左側を前方、右側を後方、手前側を左、奥側を右として説明し、電気掃除機２００の各構成部材について説明する際も、その方向に従って、前後、左右および上下を区別しながら説明する。
【００２７】
電気掃除機２００には、電気掃除機本体２０１、吸込ホース２０２、操作部２０３、吸込パイプ２０４および吸込具２０５が含まれている。電気掃除機本体２０１には電動送風機（図示せず）が内蔵されていて、この電動送風機により吸引力が発生する。
【００２８】
電気掃除機本体２０１の正面側には吸込ホース２０２の後端側に備えられた接続部２０５が着脱可能に連結されている。吸込ホース２０２は可撓性を有し、任意の形態に曲げることができる。吸込ホース２０２の反対側（先端側）には操作部２０３が取り付けられている。操作部２０３は、吸込ホース２０２の軸方向に延びるパイプ部２０６と、パイプ部２０６から軸方向と交差方向後方側へ延び出したグリップ２０７と、パイプ部２０６の中心軸に対して、グリップ２０７と反対側（１８０°隔たる側）に設けられたサブグリップ２０８とを具備している。また、吸込ホース２０２の先端側と操作部２０３との間には回動機構２０９が介在されていて、操作部２０３と吸込ホース２０２とは、互いに軸回りに回動自在に連結されている。
【００２９】
吸込パイプ２０４は、操作部２０３と吸込具２０５との間を連結する長手の、たとえば樹脂製のパイプである。
【００３０】
吸込パイプ２０４は、その長さ方向ほぼ中央部を境に、先端側（吸込具２０５が取り付けられた側）２１１が、後端側（操作部２０３が接続された側）２１２内に同軸上に収納され、長さが可変できるように構成されている。この長さの可変は、吸込パイプ２０４の中央部に備えられたロックボタン２１３を操作することにより行うことができる。
【００３１】
吸込具２０５には、ハウジング２１４と、接続筒２１５と、接続筒２１５をハウジング２１４に対して取り付けている連結機構２１６とが含まれている。
【００３２】
なお、吸込パイプ２０４の後端側２１２は、操作部２０３から取り外し可能であり、操作部２０３を吸込具２０５の接続筒２１５と直接連結することも可能である。
【００３３】
この実施形態に係る電気掃除機２００の特徴は、図２および図３に示されるように、吸込パイプ２０４をその軸回りにひねることにより、吸込具２０５の姿勢を切り換えることができることである。
【００３４】
より具体的には、吸込具２０５は、通常、図１に示す基本姿勢をとっており、この基本姿勢では、後述する主吸込口が被清掃面４００に対向した状態になっている。この状態から、吸込パイプ２０４を軸回りに約９０°ひねると、図２に示すように、吸込具２０５は被清掃面４００（図２では被清掃面４００を理解の便宜のためにフローリング面として示し、紙面方向に広がっている状態で表わしている。）に対し、基本姿勢のままであるが、９０°回転した状態となる。そしてさらに吸込パイプ２０４を軸回りにひねり、操作し易い斜め後方へ立ち上がった状態にすると、図３に示すように、吸込具２０５が起立姿勢に
切り換わる。
【００３５】
吸込具２０５が起立姿勢とは、後述するように、吸込具２０５のハウジング２１４に形成されている副吸込口が被清掃面４００に対向した状態を言い、ハウジング２１４が厚み方向が水平方向になるように立ち上がり、ハウジング２１４の幅方向に吸込パイプ２０４が延び出ている状態をいう。
【００３６】
この状態では、吸込パイプ２０４に連結された操作部２０３では、サブグリップ２０８が上方に位置し、グリップ２０７は下方に位置する。従って、サブグリップ２０８を握って吸込具２０５を操作することになる。
【００３７】
このように、吸込パイプ２０４をその軸回りにひねること（回動させること）により、吸込具２０５の姿勢を、基本姿勢と起立姿勢との間で切り換えることができるのが、この実施形態の特徴の１つである。
【００３８】
吸込パイプ２０４を軸回りにひねる場合は、グリップ２０７を握ったまま、グリップ２０７を回動させればよい。つまり、ユーザは、図１に示すように、吸込具２０５を基本姿勢にした通常の操作状態から、グリップ２０７を回せば、その操作に伴い吸込パイプ２０４が軸回りに回動する。そしてグリップ２０７をほぼ１８０°回転させ、サブグリップ２０８が上方になったときに、ユーザはサブグリップ２０８を握り直せばよい。ユーザは、サブグリップ２０８を握って、起立姿勢の吸込具２０５を操作して、隙間清掃等を行うことができる。
【００３９】
この場合において、図１で説明したように、吸込ホース２０２は回動機構２０９を介して操作部２０３とつながっているから、吸込ホース２０２を回動させる必要はなく、吸込ホース２０２はそのままの状態で、グリップ２０７をひねることができ、吸込パイプ２０４をその軸回りに回動させることができる。よって、グリップ２０７および吸込パイプ２０４の回動を容易に行える。
【００４０】
図４は、回動機構２０９の具体的な構成を示す図であり、操作部２０３部分の軸方向縦断面図である。
【００４１】
図４を参照して、操作部２０３には、パイプ部２０６と、パイプ部２０６から上部後方に向かって突出しているグリップ２０７と、パイプ部２０６の外周面から突出し、パイプ部２０６の軸方向にグリップ２０７と１８０°反対側に設けられているサブグリップ２０８とが含まれている。パイプ部２０６の後方には、吸込ホース２０２の先端が同心円上に、回動自在に内嵌合されている。
【００４２】
具体的には、吸込ホース２０２の先端には、円筒状の連結筒２１７が固定されており、連結筒２１７の後部には、カバー筒２１８が同心円上に外嵌されている。そして連結筒２１７の前部はパイプ部２０６に同心円上に内嵌されている。また、連結筒２１７の前方側には、一対のフランジ２１９，２２０が形成され、その間に操作部２０３に設けられた抜け止め突起２２１が嵌められることにより、連結筒２１７はパイプ部２０６に対して回動自在に、かつ抜けないように連結されている。なお、パイプ部２０６と連結筒２１７との隙間から空気が漏れるのを防止するため、シールパッキン２２２が両者の間に配置されている。
【００４３】
かかる構成により、吸込ホース２０２ならびにそれに固定された連結筒２１７およびカバー筒２１８に対して、操作部２０３は軸方向に回動自在につながっている。
【００４４】
次に、吸込パイプ２０４をひねることにより、基本姿勢および起立姿勢に切り換え可能な吸込具２０５の構成について詳細に説明をする。
【００４５】
図５は、吸込具２０５の右側面図であり、被清掃面４００上で基本姿勢になった状態が示されている。図６は、吸込具２０５を左右方向中央で切断した縦断面図である。また、
図７は吸込具２０５の平面図である。
【００４６】
図５〜図７を参照して、吸込具２０５は、ハウジング２１４、接続筒２１５および連結機構２１６を含む。
【００４７】
ハウジング２１４は、幅Ｗと、厚みＴと、奥行Ｄとを有しており、幅Ｗ＞奥行Ｄ＞厚みＴの寸法関係になっている。
【００４８】
ハウジング２１４の底面２２３には、その前方寄りに、ハウジング２１４の幅方向に長手の主吸込口２２４が形成されていて、基本姿勢では、主吸込口２２４は被清掃面４００に対向しており、塵挨は主吸込口２２４から吸い込まれる。
【００４９】
ハウジング２１４には、また、その前面に開閉可能なシャッター２２５が備えられている。シャッター２２５はハウジング２１４の幅方向に延びてハウジング２１４の前面に取り付けられている。シャッター２２５には、その左右両側に、斜め方向に突出する回動自在なコロ２２６が取り付けられている。コロ２２６は、吸込具２０５が起立姿勢になったとき、吸込具２０５が移動する際の移動補助部材として機能する。
【００５０】
シャッター２２５には、さらに、ハウジング２１４の幅方向に延びる衝撃吸収バー２２７が備えられている。衝撃吸収バー２２７は弾性体で形成されており、吸込具２０５の前面が壁などにぶつかるとき、この吸収バー２２７が最初に壁にぶつかり、ぶつかったときの衝撃を緩和するものである。衝撃吸収バー２２７は、また、吸込具２０５が壁や家具にぶつかった際に、壁や家具を傷つけることのない傷つけ防止部材としても機能するものである。衝撃吸収バー２２７は、シャッター２２５と一体に形成された膨出部であって、その外表面に起毛布が貼着された構成としてもよい。
【００５１】
なお、この衝撃吸収バー２２７以外にも、傷つけ防止部材が、吸込具２０５には必要に応じて配置されている。具体的には、ハウジング２１４の上面には、平面視円弧状の傷つけ防止起毛布２２８が貼着され、ハウジング２１４の左右両側面には傷つけ防止用の弾性シート２２９が設けられている。さらに連結機構２１６にも、傷つけ防止用の起毛布２３０がその外周面に貼着されている。
【００５２】
また、ハウジング２１４内には、回転ブラシ２３２が備えられている。回転ブラシ２３２は、ハウジング２１４の幅方向に延びる回転軸２３３を有しており、回転軸２３３の周面に複数種類のブラシ２３４，２３５および弾力のあるへら２３６がそれぞれ螺旋状に植立された構成である。この回転ブラシ２３２は主吸込口２４２を介して被清掃面４００に臨んでいる。
【００５３】
連結機構２１６は、ハウジング２１４と接続筒２１５とを連結しており、接続筒２１５の突出方向を、ハウジング２１４に対して変位可能にしている。
【００５４】
具体的には、連結機構２１６は接続筒２１５の先端２３１をハウジング２１４の厚み方向に揺動自在に保持している。また、連結機構２１６自身は、ハウジング２１４に対して回動自在に取り付けられている。回動方向は、接続筒２１５の軸回りにされている。
【００５５】
従って、ハウジング２１４に対して連結機構２１６を９０°回動し、その状態でハウジング２１４の前面を被清掃面４００に対向させることにより、吸込具２０５は図８〜図１０に示すように、被清掃面４００に対して、ハウジング２１４の奥行方向が上下を向いて立ち上がった起立姿勢にすることができる。
【００５６】
ここに、図８は吸込具２０５を起立姿勢にしたときの背面図であり、図９は、図８の部分断面図であり、図１０は吸込具２０５を起立姿勢にしたときの右側面図である。さらに、図１１は、起立姿勢の吸込具２０５の底面図である。
【００５７】
図９の部分断面図では、起立姿勢のハウジング２１４内における回転ブラシ２３２の状態、シャッター２２５の状態および回転ブラシ２３２を回転させるためのモータ２３７の存在が示されている。この部分断面は、ハウジング２１４の幅方向の中央断面ではなく、幅方向右寄りの部分の断面となっている。
【００５８】
図８〜図１１を参照して説明すると、吸込具２０５を起立姿勢にすると、シャッター２２５は被清掃面４００により押し上げられて開く。シャッター２２５は、吸込具２０５が基本姿勢の場合は、図示しないばねの付勢力によって下方に下がりハウジング２１４の前面を閉じた閉状態となる。ところが、吸込具２０５が起立姿勢に切り換えられる際に、シャッター２２５は被清掃面４００により押し上げられて、ハウジング２１４の前面を開いた開状態になる。これにより、ハウジング２１４の前面に形成された副吸込口２３８が開き、副吸込口２３８は被清掃面４００と対向する。よって吸込具２０５は起立姿勢において、被清掃面４００と対向した副吸込口２３８から塵挨を吸い込むことができる。
【００５９】
副吸込口２３８は主吸込口２２４とつながっており、回転ブラシ２３２は副吸込口２３８および主吸込口２２４に臨んでいる。
【００６０】
さらに、図８を参照して、シャッター２２５が開いた起立姿勢になると、ハウジング２１４の幅方向両端であって、ハウジング２１４の前面側（図８の起立姿勢において、被清掃面４００に対向する側）に、補助吸込口２３９が現れる。補助吸込口２３９は、吸込具２０５がハウジング２１４の幅方向に移動する際、すなわち吸込具２０５が起立姿勢において前後に移動される際に、その移動方向側に開いた吸込口である。よって、吸込具２０５が移動する際、その移動方向側には補助吸込口２３９があるため、被清掃面４００上に比較的大きな塵挨があっても、その塵挨はこの補助吸込口２３９から良好にハウジング２１４内へと吸い込まれる。
【００６１】
吸込具２０５が起立姿勢では、被清掃面４００にはコロ２２６および起毛布２４０が当接している。コロ２２６は、前述したように、シャッター２２５の両端（ハウジング２１４の幅方向に見て両端）に取り付けられている。一方、起毛布２４０は、図１１に示すように、コロ２２６が配置されていない側の底面両隅に設けられている。従って、底面視において、起立姿勢の吸込具２０５は、被清掃面４００に対向する四隅が、２つのコロ２２６および２つの起毛布２４０により安定して支えられている。
【００６２】
表現を変えると、図８および図１１を参照して、起立姿勢の吸込具２０５は、被清掃面４００と対向するハウジング２１４の前面四隅に、それぞれ、コロ２２６および起毛布２４０が配置されていて、これら４点によってハウジング２１４は安定した起立姿勢になるように支えられている。そして、被清掃面４００との接点２４１の間に、副吸込口２３８が開口した状態となっている。
【００６３】
ところで、コロ２２６および起毛布２４０は、起立姿勢の吸込具２０５が被清掃面４００を移動する際、すなわち図１０において吸込具２０５が左右方向に移動する際、その移動をスムーズに行わせるための、移動補助部材として機能している。よって、図３に示す状態で、サブグリップ２０８を握り、吸込パイプ２０４を介して吸込具２０５を前後に移動させる際に、吸込具２０５は安定した起立姿勢を保ちながら、被清掃面４００上をスムーズに移動し得る。
【００６４】
また、図１０において、ハウジング２１４に対して９０°回動された連結機構２１６に対し、接続筒２１５はその先端２３１が揺動自在に保持されており、この揺動方向は、図１０においては矢印２４２で示す左上がりの斜め左右方向である。よって、接続筒２１５に接続された吸込パイプ２０４（図３参照）およびサブグリップ２０８の角度および位置を操作しやすい角度および位置にして、起立姿勢の吸込具２０５を操作することができる。
【００６５】
またその場合において、図８に示すように、起立姿勢のハウジング２１４に対して、接続筒２１５はハウジング２１４の厚み方向中心線上に軸芯が位置している。よって、起立姿勢のハウジング２１４は接続筒２１５を介して、安定した、扱い易いバランス状態に保たれている。
【００６６】
図１２および図１３は、吸込具２０５における、ハウジング２１４と連結機構２１６との回動可能な接続構造を説明するための図であり、ハウジング２１４を幅方向に垂直に切断した状態を正面側から見た正面側断面図である。
【００６７】
図１２は、ハウジング２１４と接続機構２１６とが図５，７に示す位置関係の断面図であり、図１３は、ハウジング２１４と連結機構２１６とが図８，１０に示す位置関係の断面図である。
【００６８】
図１２，１３を参照して、連結機構２１６には、その先端側に、ハウジング２１４内に配置されたフランジ２４３を備えている。フランジ２４３は、その内周縁２４４が吸込口を形成しており、その外周は、円弧状周面２４５、中心に対して１８０°隔たる位置に切り欠かれた２つのロック用凹欠面２４６およびロック用凹欠面２４６と中心に対して９０°隔たる位置に形成された２つの位置決め用平面２４７を含んでいる。
【００６９】
一方、ハウジング２１４内には、フランジ２４３に隣接して、ロック片２４８が配置されている。ロック片２４８はコイルばね２４９によって常時フランジ２４３の外周に向かって弾力付勢されている。
【００７０】
図１２に示すように、ロック片２４８がフランジ２４３の位置決め用平面２４７の一方と当接している場合には、連結機構２１６は、ハウジング２１４が基本姿勢のときに適した回動位置で止まるように係止されている。連結機構２１６は、位置決め用平面２４７とロック片２４８とが当接した状態で回動角度が位置決めされるが、その状態から連結機構２１６をハウジング２１４に対して回動させることは容易に行える。
【００７１】
一方、図１３に示すように、連結機構２１６をハウジング２１４が起立姿勢に適した角度まで回動させたときには、ロック用凹欠面２４６にロック片２４８が嵌まる。そしてこの状態では、ハウジング２１４と連結機構２１６とをかなり強い力でひねらなければ、両者の角度位置を変えることができなくなる。すなわち、吸込具２０５を起立姿勢にしたとき、ハウジング２１４に対して連結機構２１６は図１０に示す回動位置になっているが、この状態のとき、ハウジング２１４に対する連結機構２１６の回動位置は、図１３に示すように、ロック用凹欠面２４６とロック片２４８とが係合することにより、この角度位置にロックされている。従って、図１０に示す起立姿勢においては、連結機構２１６はハウジング２１４に対して安易に回動せず、ハウジング２１４と連結機構２１６との角度位置が固定された状態のまま、接続筒２１５だけが矢印２４２方向に回動可能である。よって、接続筒２１５、換言すれば接続筒に連結された吸込パイプ２０４の長手方向に、ハウジング２１４は起立状態で延びており、ハウジング２１４は回動しないので、ハウジング２１４を起立姿勢のままスムーズに隙間清掃に用いることができるという利点がある。
【００７２】
図１４は、吸込具２０５に備えられている移動補助部材の変形例を説明するための図であり、吸込具２０５が起立姿勢における背面図を示している。また、図１５は図１４に示す吸込具２０５の底面図である。
【００７３】
図１４および図１５を参照して、吸込具２０５には、ハウジング２１４が起立姿勢において、ハウジング２１４が幅方向へ移動するのを補助するための対をなすコロ（ダブルコロ）２５０が備えられている。ダブルコロ２５０は、ハウジング２１４の前面側であって、ハウジング２１４の幅方向両側に配置されている。従って、ハウジング２１４が起立姿勢になったとき、その四隅は、ダブルコロ２５０で安定して支持された状態となる。ダブルコロ２５０は、また、回動自在に取り付けられている。よって、ハウジングはスムーズ
に幅方向前後に移動し得る。
【００７４】
より具体的には、ダブルコロ２５０は、ハウジング２１４の前面側であって、幅方向両側に配置された支持部材２５１と、支持部材２５１に保持された、ハウジング２１４の厚み方向に延びる支軸２５２と、支軸２５２の両端に回動自在に保持された２つのコロ２５３とを有する構成である。
【００７５】
なおこの構成では、ダブルコロ２５０はシャッターに取り付けられてはおらず、シャッターの開閉動作は、ダブルコロ２５０の状態とは無関係になっている。
【００７６】
図１６は、吸込具２０５が起立姿勢において、ハウジング２１４の移動を補助するための移動補助部材のさらに他の構成例を説明するための図であり、起立姿勢の吸込具２０５の背面図である。また、図１７は、図１６に示す吸込具２０５の底面図である。
【００７７】
図１６および図１７を参照して、この実施形態に係る吸込具２０５には、移動補助部材としてのコロは設けられておらず、シャッター２２５が開いたとき、被清掃面４００に対向するシャッターの面に貼着された起毛布２５４が移動補助部材として機能する。
【００７８】
すなわち、吸込具２０５が起立姿勢において、吸込具２０５は、起毛布２５４および起毛布２４０によって被清掃面４００に接している。それゆえ、これら起毛布２５４，２４０が、吸込具２０５が被清掃面４００上を、ハウジング２１４の幅方向へ移動するのを補助する。
【００７９】
かかる構成は、コロ２２６やダブルコロ２５０を設ける構成に比べ、構成の簡素化を図ることができるという利点がある。
【００８０】
図１８Ａおよび図１８Ｂは、それぞれ、起立姿勢の吸込具２０５の底面図であり、被清掃面に対向するシャッター面に、被清掃面の塵挨を副吸込口へ案内するための起毛布２５５，２５６が貼り付けられた構成を示している。吸込具２０５は、図１８Ａにおいて、上下方向に移動されるので、その際に、塵挨が副吸込口２３８、特に副吸込口２３８の上方に開口している接続筒の孔２１５ａに誘導するような形状にするのが望ましい。
【００８１】
すなわち、ハウジング２１４の幅方向において、幅方向中央部で、塵挨をハウジング２１４の厚み方向中央側へ案内するガイド面２５７が設けられている。ガイド面２５７は、図１８Ａに示すように、ハウジング２１４の幅方向中央が盛り上がった直線状の山形でもよいし、図１８Ｂに示すように、湾曲した山を描くガイド面２５８であってもよい。
【００８２】
さらに、これらガイドは、起毛布２５５，２５６で構成せず、たとえばシャッター２５５の被清掃面４００に対向する面に、ガイド面２５７または２５８を形成する段差を形成したものであってもよい。
【００８３】
図１９は、シャッター２２５の変形例を示す図で、吸込具２０５の正面図である。図１９に示すように、シャッター２２５が閉じた状態において、シャッター２２５の下辺２５９と被清掃面４００との間に隙間２６０が形成されるように、シャッター２２５を構成してもよい。この場合、吸込具２０５が基本姿勢のとき、吸込具２０５の前面側に、シャッター２２５で塞がれていない隙間２６０が存在する。ハウジング２１４は、その底面に主吸込口２２４が形成されているのに加え、その前面には主吸込口２２４につながった副吸込口２３８が存在する。そしてシャッター２２５と被清掃面４００との間には隙間２６０があるから、この隙間２６０を介して副吸込口２３８から塵挨が吸い込まれる。
【００８４】
特に、吸込具２０５が基本姿勢で前進する際、その前方にある被清掃面４００上の塵挨を、上記隙間２６０から良好に吸い込むことができる。
【００８５】
図２０は、シャッター２２５のさらに他の変形例を示す図であり、吸込具２０５が基本姿勢における正面図である。
【００８６】
図２０の構成では、シャッター２２５は、その下辺２５９が、ハウジング２１４の幅方向に凹凸を有する辺となっている。このため、被清掃面４００とシャッター２２５の下辺２５９との間には、小さな隙間２６０および大きな隙間２６１が、幅方向に交互に形成されている。これら隙間を利用して、吸込具２０５は基本姿勢において、前方移動される際、その前方にある塵挨を良好に吸引することが可能である。
【００８７】
図２１〜図２３は、この発明の他の実施形態に係る吸込具２６５の基本姿勢の右側面図、基本姿勢の正面図および起立姿勢の正面図である。
【００８８】
図２１〜図２３を参照して、吸込具２６５の特徴は、ハウジング２１４の前面は前板２６６で閉塞されており、前板２６６に複数の通気窓２６７が形成されていることである。複数の通気窓２６７は、具体的にはたとえば５つ配列されていて、これら通気窓２６７は吸込具２６５の幅方向に配列されている。よって、吸込具２６５はこれら複数の通気窓２６７を介してその前方にある塵挨を吸い込むことができる。
【００８９】
また、前板２６６は、その下辺２６８がハウジング２１４の幅方向に凹凸を有する辺となっており、被清掃面４００との間に隙間２６８を生ずるようにされている。それゆえ、この隙間２６９を介しても、ハウジング２１４前方の塵挨を吸い込むことが可能である。
【００９０】
かかる構成にすると、吸込具２６５を起立姿勢にした状態において、通気窓２６７が被清掃面４００と対向し、被清掃面４００の塵挨を通気窓２６７を通して吸引できる。従って、この構成によれば、シャッターを設けない、より簡素な構成の吸込具２６５とすることができる。
【００９１】
なお、図２１〜２３において、２７０はコロ、２７１は起毛布であり、これらは起立姿勢におけるハウジング２１４の移動補助部材として機能するものである。
【００９２】
その余の構成は、先に説明した実施形態における吸込具２０５と同様であるから、対応する部分には対応の番号を付して重複した説明は省略する。
【００９３】
図２４は、吸込具の他の構成を示す図であり、吸込具が基本姿勢のときの平面図である。図２４に示す吸込具２７５は、図７に示す吸込具２０５と比べて、ハウジング２１４に対して接続筒２１５を接続するための連結機構２７６の構成が異なっている。
【００９４】
図２５は図２４に示す吸込具２７５の中央を前後方向に切断した縦断面を右側から見た右側縦断面図である。
【００９５】
図２４および２５を参照して、連結機構２７６は、接続筒２１５を、その先端を中心にして左右方向へ回動自在に保持するとともに、連結機構２７６自体が、ハウジング２１４に対して厚み方向に回動自在に連結されている。それゆえ、ハウジング２１４が基本姿勢では、ハウジング２１４に対して連結機構２７６は上下方向に回動するので、連結機構２７６に先端が保持された接続筒２１５および接続筒の後端側に連結される吸込パイプは、ハウジング２１４に対して斜め後方へ所望の角度で延び上がるようにすることができる。また、その角度は、連結機構２７６の回動により変位するから、操作性が損なわれることはない。
【００９６】
さらに、接続筒２１５は、連結機構２７６によって、ハウジング２１４の幅方向に回動し得る。従って、ハウジング２１４は、接続筒２１５すなわち接続筒２１５の後方へ延びる吸込パイプ２０４に対して左右方向へ振れるので、操作性が損なわれることはない。
【００９７】
一方、図２５に示すように、接続筒２１５がハウジング２１４の後方にほぼ水平に突出した状態において、連結機構２７６がハウジング２１４に対して回動するのを規制するための規制ピン２７７が備えられている。規制ピン２７７は、コイルばね２７８によって常時上方へ弾力付勢されている。そして、連結機構２７６には、連結機構２７６の回動角度が、ハウジング２１４に対して水平方向になった際に、規制ピン２７７の先端を受け入れる凹部２７９が備えられている。
【００９８】
それゆえ、吸込具２７５において、ハウジング２１４の後方へ接続筒２１５が水平に突出した状態にし、その状態でハウジング２１４を起立姿勢とすることによって、連結機構２７６は起立姿勢のハウジング２１４に対して左右方向（ハウジングの厚み方向）へは回動せず、起立姿勢のハウジング２１４から上方に突出した位置で固定される。そしてこの固定されている連結機構２７６に対して、接続筒２１５はハウジング２１４の幅方向に回動し得るので、接続筒２１５をハウジング２１４の幅方向に傾けて、起立姿勢のハウジング２１４を幅方向前後に容易に操作させることができる。
【００９９】
つまり、この発明の吸込具は、ハウジング、連結機構および接続筒を具備しているが、連結機構および接続筒の構成は、図７等で説明した連結機構、接続筒に限定されず、図２４，２５で説明した連結機構、接続筒の構成を用いることも可能である。
【０１００】
図２６は図８に示す吸引具２０５を隙間清掃のために隙間に挿入した状態を示す模式図である。図２６に示すように、吸込具２０５を起立状態にすると、ハウジング２１４の厚みよりもやや広い程度の隙間に対して吸込具２０５を挿入することができ、かかる隙間の清掃を容易に行うことができる。そして、隙間に挿入された吸込具２０５のハウジング２１４や連結機構２１６には、傷つけ防止のための起毛布２２８、弾性シート２２９、起毛布２３０等が備えられているから、吸込具２０５が家具や壁にぶつかっても、家具や壁が傷つくことを防止できる。
【０１０１】
なお、ここまで説明した実施形態では、起立姿勢におけるハウジング２１４は、シャッター２２５が開いた状態において、その下端部の厚みと上方部の厚みとがほぼ等しいものを例示した。しかし、図２７に示すように、吸込具２０５が起立姿勢のときに、シャッター２２５が開くことによって、ハウジング２１４の下端部と上端部とでは、下端部の方がその厚みが広いような構成としてもよい。こうすることにより、起立姿勢のハウジング２１４の安定度が増す。
【０１０２】
ところで、吸込具２０５を起立姿勢にして清掃を行う場合、回転ブラシ２３２の回転を工夫するのが好ましい。
【０１０３】
吸込具２０５を起立姿勢にしたとき、図９に示すように、起立姿勢のハウジング２１４は、その側面に主吸込口２２４が開口している。それゆえ、ハウジング２１４が基本姿勢のときと同様に、回転ブラシ２３２を回転させた場合、回転ブラシ２３２は図９において左回りに回転するから、回転ブラシ２３２によって掻き上げられる被清掃面４００上の塵挨が、主吸込口２２４から側方へ飛び出すことがある。
【０１０４】
そこで、ハウジング２１４を起立姿勢にした場合、回転ブラシ２３２の回転を、基本姿勢の場合よりも低速にするのが好ましい。
【０１０５】
また、ハウジング２１４を起立姿勢にした場合、回転ブラシ２３２の回転を停止してもよい。
【０１０６】
あるいは、ハウジング２１４を起立姿勢にしたとき、回転ブラシ２３２の回転方向を、ハウジング２１４が基本姿勢のときと逆転させてもよい。すなわち、図９において、回転ブラシ２３２を左回りに回転させる。こうすると、回転ブラシ２３２によって掻き回される塵挨の流れが、主吸込口２２４側ではなく、ハウジング内方へ向くため、ハウジング２１４が起立姿勢であっても、塵挨が主吸込口２２４から側方へ飛び出すという虞れがない。
【０１０７】
回転ブラシ２３２を上述のように逆方向に回転する場合において、回転ブラシ２３２の回転速度を低く抑えてもよい。
【０１０８】
なお、回転ブラシ２３２を、上述のように逆回転にした場合、壁の床面付近の段差部が回転ブラシ２３２の起こす風によって掻かれ、段差面や床近くの桟に溜まっている挨を良
好に掻き落とすことができるという利点もある。
【０１０９】
さらに、図２８に模式的に示すように、吸込具２０５を起立姿勢にし、電気掃除機本体２０１の電動送風機を動作させない状態で、回転ブラシ２３２だけを順方向（吸込具２０５が基本姿勢のときと同じ方向）へ回転させた場合、回転ブラシ２３２が被清掃面４００上の塵挨を箒で掃きあげるように機能する。つまり、吸込具２０５を起立姿勢にし、電気掃除機本体２０１の電動送風機を動作させず、回転ブラシ２３２だけを回転させれば、電気掃除機を箒のごとく使用することができるという用途もある。
【０１１０】
図２９〜図３２は、この発明の別の実施形態に係る電気掃除機の構成を説明するための図である。特に、図２９は操作部２０３、吸込パイプ２０４および吸込具２０５の右側面図であって、吸込具２０５が基本姿勢の状態を示しており、図３０は、同じく操作部０２３、吸込パイプ２０４および吸込具２０５の右側面図であって、吸込具２０５が起立姿勢の状態を示している。
【０１１１】
図２９および図３０を参照して、この実施形態に係る電気掃除機では、操作部２０３にグリップ２０７が備えられているが、前述した実施例に設けられていたサブグリップは省略されている。というのは、この実施形態に係る電気掃除機では、グリップ２０７をひねる必要はなく、吸込具２０５が基本姿勢であっても（図２９）、起立姿勢であっても（図３０）、グリップ２０７の操作位置は変わることがないように構成されている。そのために、吸込具２０５の接続筒２１５には、その後端寄りに回動機構２８０が備えられている。これがこの実施形態の特徴である。
【０１１２】
図３１は、吸込具２０５の平面図であり、ハウジング２１４が基本姿勢の状態が示されている。吸込具２０５に含まれるハウジング２１４、接続筒２１５および連結機構２１６の構造は、先に説明した実施形態（図５〜１４を参照して説明した吸込具２０５）と同様である。
【０１１３】
この実施形態に係る吸込具２０５の特徴は、接続筒２１５の他端である後端に、回動機構２８０が備えられていて、回動機構２８０の後端側が吸込パイプ２０４の先端と連結され得る構成になっていることである。
【０１１４】
回動機構２８０は、接続筒２１５に対して接続筒２１５の軸回りに回動可能であり、この回動は、接続筒２１５と回動機構２８０との間に一定以上の力（モーメント力）が働いたときに可能である。すなわち、回動機構２８０に備えられたコイルばね２８１で弾力付勢された係止ピン２８２の先端が、接続筒２１５の係止凹部に係合していることにより、通常は、接続筒２１５と回動機構２８０とは互いに回動しない状態になっている。そして、係止ピン２８２が係止溝に係止している力以上の回動力が接続筒２１５と回動機構２８０との間に加わると、接続筒２１５に対して回動機構２８０が回動し得る。
【０１１５】
図３２は、この回動機構２８０の構成例を説明するための、吸込具２０５の中央前後方向の縦断面図であり、左側から見た左断面図を示している。
【０１１６】
接続筒２１５は、その後端（図３２において左側）に、回動機構２８０に内嵌される円筒部２８３と、円筒部２８３の前方寄りに設けられた係合フック体２８４とを備えている。
【０１１７】
一方、回動機構２８２は、その後端に吸込パイプ２０４の先端が嵌合可能な嵌合部２８５が設けられ、その前方寄りには接続筒２１５の円筒部２８３を係止する係止突起２８６および係合フック体２８４を係止する係止フック２８７が備えられている。さらに、係止フック体２８４に設けられた係合凹部２８８に先端が係合する係止ピン２８２および係止ピン２８２をその先端が係合凹部２８８に係合する方向に弾力付勢するコイルばね２８１が備えられている。
【０１１８】
また、回動機構２８２は、円筒部２８３を外嵌するように、かつ円筒部２８３と同心上に外嵌円筒部２８９が設けられていて、その間は気密性を保つためのＯリング状のパッキン２９０が介在されている。
【０１１９】
回動機構２８０を設けたことにより、回動機構２８０の前方にある接続筒２１５が図２９の状態から図３０に示す軸方向に１８０°回動した状態に変位しても、回動機構２８０に接続されている吸込パイプ２０４およびその後方の部材の状態は何ら変わることがない。従って、この実施形態では、吸込パイプ２０４をひねって回動させる必要はなく、吸込パイプ２０４を回動させなくても、回動機構２８０から前方にある吸込具２０５を基本姿勢と起立姿勢とに変位させることができる。
【０１２０】
なお、回動機構２８０は、この実施形態では吸込具２０５の接続筒２１５に一体的に設けられた例を説明したが、回動機構２８０は、操作部２０３寄りの吸込パイプ２０４に設けられていてもよい。かかる構成については、この後に出てくる実施形態において詳細に説明をする。
【０１２１】
図３３は、この発明の実施形態に係る電気掃除機用吸込具１の構成を示す側面図である。以下では、図３３における左側を前方、右側を後方とし、図３３における手前側を左方、奥側を右方として説明する。
【０１２２】
図３３を参照して、この電気掃除機用吸込具１は、電動送風機を備えた電気掃除機本体（図示せず）に接続され、床面上の塵埃を吸い込んで、電気掃除機本体側へ送るためのものであって、床面Ｆに沿って移動され、床面Ｆ上の塵埃を吸い込むための吸込部２と、一端部が吸込部２に対して回動可能に接続され、吸込部２から吸い込まれた塵埃を電気掃除機本体側へ送るための接続管３とを備えている。
【０１２３】
接続管３は、一直線状に延びるほぼ可撓性を有しない略円筒状部材であって、その他端部に、可撓性を有する蛇腹状の可撓性ホース４の一端部が接続されている。可撓性ホース４の他端部は、電気掃除機本体に接続されており、吸込部２から吸い込まれた床面Ｆ上の塵埃は、接続管３および可撓性ホース４を介して電気掃除機本体に送られ、電気掃除機本体内で捕獲される。
【０１２４】
接続管３の他端部（吸込部２と反対側の端部）には、掃除を行う際にユーザが把持するための把持部５が形成されている。把持部５は、接続管３の他端部の外周面から突出し、吸込部２と反対側に向かって略円弧状に湾曲して延びるような姿勢で、接続管３に片持ち支持されている。ユーザは、把持部５を握って、接続管３を所定の姿勢で保持し、接続管３とともに吸込部２を床面Ｆに沿って移動させることにより、床面Ｆ上の所望の箇所にある塵埃を吸込部２から吸い込ませることができる。
【０１２５】
把持部５の上面には、電気掃除機の運転の開始または終了を指示したり、電動送風機の駆動の強弱を調整したりするための操作キー（図示せず）が配置されている。把持部５には、可撓性ホース４内を通って電気掃除機本体に至る配線が接続されていて、操作キーの操作に基づく信号が、その配線を介して電気掃除機本体に入力されるようになっている。
【０１２６】
接続管３の途中部（把持部５よりも吸込部２側）には、連結装置６が着脱可能に介装されている。これにより、接続管３は、連結装置６に対して吸込部２側の第１接続管７と、連結装置６に対して把持部５側の第２接続管８とにより構成されている。連結装置６は、第１接続管７に連結される略円筒状の第１連結部９と、第２接続管８に連結される略円筒状の第２連結部１０とを備えている。第１連結部９および第２連結部１０は、それぞれの軸線がほぼ同一直線上に延びるように配置され、互いに同一軸線を中心にして回転可能に連結されている。
【０１２７】
図３４は、図３３に示す吸込部２の平面図である。図３５は、図３３に示す吸込部２の底面図である。図３６は、図３３に示す吸込部２を前後方向に沿った鉛直面で切断したときの断面を左方から見た左側断面図である。
【０１２８】
図３３〜図３６を参照して、この吸込部２は、所定の厚みを有し、その厚み方向（鉛直方向）に略直交する一方向（図３４における左右方向）に沿って長尺形状に形成された平面視略長方形状の吸込部本体１１と、この吸込部本体１１の厚み方向に略直交する長手方向の中央部に回転可能に取り付けられた回転支持部１２と、この回転支持部１２により回動可能に支持された継手部１３とを備えている。
【０１２９】
回転支持部１２は、吸込部本体１１に対して、吸込部本体１１の厚み方向に略直交する短手方向（前後方向）に延びる回転軸線を中心に回転可能に取り付けられている。
【０１３０】
継手部１３は、その一端部が球面状に形成された球面部１４となっていて、この球面部１４が回転支持部１２に遊嵌されることにより、回転支持部１２に対して球面支持にて回動可能に取り付けられている（図３６参照）。継手部１３の他端部側は、第１接続管９に嵌め込まれて連結される嵌合部１５となっている。接続管３は、その第１接続管７が継手部１３の嵌合部１５に嵌め込まれることにより、吸込部２に対して回動可能に接続される。
【０１３１】
吸込部本体１１の厚み方向の一方面としての底面には、塵埃を吸い込むための吸込口１６が形成されている。吸込口１６は、吸込部本体１１の底面の前端部に、吸込部本体１１の長手方向に沿って略長方形状に形成されている。吸込部本体１１内には、吸込口１６および継手部１３を連通し、吸込口１６から吸い込まれた塵埃が通過する塵埃通過領域１７が形成されている。
【０１３２】
吸込部本体１１内（塵埃通過領域１７）には、吸込部本体１１の長手方向に沿って延びる回転軸（図示せず）を中心に回転可能な回転ブラシ１８が配置されている。回転ブラシ１８の外周面は吸込口１６に臨んでおり、回転ブラシ１８を高速で回転させることにより吸込口１６から塵埃を掻き込むことができる。回転ブラシ１８は、吸込部本体１１内に備えられたモータ８９（図４９参照）により回転される。
【０１３３】
吸込部本体１１の短手方向の一方面としての前面には、塵埃を吸い込むためのサブ吸込口１９が、吸込口１６に連続するように形成されている。サブ吸込口１９は、塵埃通過領域１７に臨んでいる。
【０１３４】
サブ吸込口１９は、開閉部としてのシャッター２０により開閉可能となっている。シャッター２０は、吸込部本体１１の前面に沿って左右方向に長尺形状に形成され、その左右両端部が、吸込部本体１１の前面に対して回動可能に取り付けられている。シャッター２０は、図示しないばねなどの付勢手段により、サブ吸込口１９を閉塞する方向（図３６における反時計回り）に付勢されている。
【０１３５】
図３６に示すように、吸込部本体１１の底面が床面Ｆに対向する状態（基本姿勢）であって、シャッター２０に外力が加わっていないときには、付勢手段により付勢されるシャッター２０がサブ吸込口１９の前方に位置し、サブ吸込口１９が閉塞されている。
【０１３６】
図３６に示す状態から、シャッター２０に前方から壁などの障害物が当接して、シャッター２０に後方に向かって外力が加わった場合には、付勢手段の付勢力に抗して、シャッター２０が図３６における時計回りに回転し、図３７に示すように、サブ吸込口１９が開放される。サブ吸込口１９を開放する方向に回動したシャッター２０は、吸込部本体１１内における塵埃通過領域１７の上方前側に形成されたシャッター収容領域２１に収容される。
【０１３７】
シャッター２０の前面下部には、その左端部から右端部にかけて、シャッター２０に前方から障害物が当接したときの衝撃を和らげるための緩衝部材２２が備えられ、本実施形態では、緩衝部材２２は、表面に起毛布を装着させた回転自在なローラで構成し、障害物に当接すると、ローラが回転しながらシャッター２０が開放されるようになっている。シャッター２０が、図３７に示す状態まで回動してシャッター収容領域２１に収容されると、緩衝部材２２がシャッター収容領域２１の入口２１Ａに引っ掛かり、サブ吸込口１９を開放する方向（図３７における時計回り）にそれ以上回動しなくなる。この状態では、シャッター２０の下端部が略鉛直方向に沿って延び、その前面が鉛直方向に沿った平坦面２３を形成している。
【０１３８】
図３８は、図３３に示す連結装置６の平面図である。図３９は、図３８に示す矢印Ａ−Ａに沿って見た連結装置６の断面図である。図４０は、図３９に示す矢印Ｂ１−Ｂ１に沿って見た連結装置６の断面図である。
【０１３９】
図３８〜図４０を参照して、第１連結部９には、内部に第１接続管７が挿入される略円筒状の筒部２４と、この筒部２４の上面にビス止めされ、その外周面が筒部２４の外周面に連続するように取り付けられた第１カバー２５とが備えられている。筒部２４の上面と第１カバー２５の下面との間には空間２６が形成されており、この空間２６内に、筒部２４内に挿入される第１接続管７を係止するための係止爪２７が回動可能に配置されている。係止爪２７は、ばね２８により、図３９における時計回りに付勢されている。係止爪２７の一端部には、筒部２４の上面に形成された開口２９から筒部２４内に臨み、第１接続管７に係止するための係止部３０が形成されている。係止爪２７の他端部には、第１接続管７に対する係止部３０の係止状態を解除するために操作される操作部３１が形成されている。第１カバー２５には、係止爪２７の操作部３１に対向する位置に貫通孔３２が形成されていて、この貫通孔３２に操作部３１が挿通されることにより、操作部３１が上方から操作可能となっている。
【０１４０】
第２連結部１０には、その前端部に第１連結部９の後端部が嵌め込まれるとともに、その後端部が第２接続管８に挿入される内筒部３３と、この内筒部３３の前端部の径方向外側に一定間隔を空けて形成された外筒部３４とが備えられている。外筒部３４の上側部分には切欠き３５が形成されており、内筒部３３の上面には、切欠き３５により形成された開口を覆うように第２カバー３６がビス止めされている。第２カバー３６は、内筒部３３の上面に取り付けられた状態で、その外周面が外筒部３４の外周面に連続している。第１連結部９の筒部２４には、その後端部の外周面に、円環状のパッキン３７が取り付けられていて、このパッキン３７の外周面が第２連結部１０の内筒部３３の内周面に圧接されることにより、第１連結部９と第２連結部１０とが、密閉された状態で回転可能に連結されている。
【０１４１】
第２連結部１０の内筒部３３の上面と第２カバー３６との間には空間３８が形成されており、この空間３８内に、第１連結部９と第２連結部１０とを所定の回転位置で保持するためのストッパ３９が、前後方向にスライド可能に配置されている。ストッパ３９は、第１連結部９と第２連結部１０とが並ぶ方向（前後方向）に沿って延び、その前端部に、平面視略三角形状に先細りした係止部４０が形成されている。ストッパ３９の後側には、ストッパ３９を前方に向かって付勢するためのばね４１が配置されている。第２カバー３６が第２連結部１０の内筒部３３の上面に取り付けられると、第２カバー３６の下面後部から下方に突出する突出板４２がばね４１の後方に対向し、この突出板４２の前面とストッパ３９の後面との間に、ばね４１がある程度縮んだ状態で挟持される。
【０１４２】
第２連結部１０には、金属製の２本の接続ピン４３が、後方に向かって突出形成されている。第２連結部１０が第２接続管８に連結されると、２本の接続ピン４３が、それぞれ第２接続管８に備えられた金属製のピン受け部（図示せず）に挿入され、電気的に接続される。一方、第１連結部９には、金属製の２つのピン受け部４４が、前後方向に延びるように形成されている。第１連結部９が第１接続管７に連結されると、第１接続管７に備えられた金属製の２本の接続ピン（図示せず）が、それぞれピン受け部４４に挿入され、電気的に接続される。第２連結部１０に備えられた２本の接続ピン４３と、第１連結部９に備えられた２つのピン受け部４４とは、２本のリード線４５を介して接続されている。２本のリード線４５は、第２連結部１０の内筒部３３と外筒部３４および第２カバー３６との間の空間３８に、周方向に沿って延びるように収容されている。
【０１４３】
連結装置６により第１接続管７と第２接続管８とを連結した状態では、第１接続管７側と第２接続管８側とがリード線４５を介して電気的に接続される。２本の接続ピン４３は、上述した電気掃除機本体から可撓性ホース４内を通って把持部５に至る配線に接続され、電気掃除機本体に対して通電可能に接続される。第１接続管７内には、吸込部２に至る配線が内装されており、電気掃除機本体からの電力を、連結装置６を介して吸込部２へと供給することができるようになっている。したがって、電気掃除機本体から吸込部２に供給する電力を用いて吸込部２側に備えられた電気部品（たとえば、吸込部本体１１内に備えられた回転ブラシ１８を回転させるためのモータ）を動作させることができる。
【０１４４】
第１連結部９の筒部２４の外周面には、その前後方向中央部（第２連結部１０の外筒部３４の前端部に対向する部分の近傍）に、外側後方に向かって延びるように突出形成された突出部４６が形成されている。突出部４６の後端面は、筒部２４に取り付けられた第１カバー２５の後端面に連続しており、突出部４６の後部および第１カバー２５の後部は、第２連結部１０の内筒部３３と外筒部３４との間の空間３８に前方から入り込んでいる。第１カバー２５の後端面には、その最上部（左右方向中央部）に、ストッパ３９の係止部４０に対応する略三角形状の凹部（上凹部４７）が、前方に向かって窪むように形成されている。第１連結部９の突出部４６の後端面には、その最下部、最左部および最右部に、それぞれ上凹部４７と同一形状を有する略三角形状の凹部（下凹部４８、左凹部４９および右凹部５０）が、前方に向かって窪むように形成されている。
【０１４５】
図３３、図３８〜図４０に示すように、第１連結部９における係止爪２７の操作部３１が上側（第２連結部１０におけるストッパ３９がある側）に位置している状態（基準回転位置）では、上凹部４７がストッパ３９に対向し、ストッパ３９がばね４１によって前方に付勢されて、ストッパ３９の係止部４０が上凹部４７内に進入する。これにより、第１連結部９および第２連結部１０が、ばね４１の付勢力により基準回転位置において所定の保持力で保持され、図３３に示すように、吸込部２を基本姿勢として掃除を行ないやすい。
【０１４６】
第１連結部９および第２連結部１０を基準回転位置から互いに回転させると、ストッパ３９が、ばね４１の付勢力に抗して第１連結部９の突出部４６および第１カバー２５の後端面により後方側に押圧され、ストッパ３９の係止部４０が上凹部４７内から後方に退避する。これにより、基準回転位置におけるストッパ３９による保持力が解除され、第１連結部９および第２連結部１０が互いに回転可能となる。
【０１４７】
第１連結部９を、第２連結部１０に対して基準回転位置から左側に約９０°回転させると、右凹部５０がストッパ３９に対向し、ストッパ３９がばね４１によって前方に付勢されて、ストッパ３９の係止部４０が右凹部５０内に進入する。一方、第１連結部９を、第２連結部１０に対して基準回転位置から右側に約９０°回転させると、左凹部４９がストッパ３９に対向し、ストッパ３９がばね４１によって前方に付勢されて、ストッパ３９の係止部４０が左凹部４９内に進入する。また、第１連結部９を、第２連結部１０に対して基準回転位置から左側または右側に約１８０°回転させると、下凹部４８がストッパ３９に対向し、ストッパ３９がばね４１によって前方に付勢されて、ストッパ３９の係止部４０が下凹部４８内に進入する。ストッパ３９の係止部４０が、右凹部５０内、左凹部４９内、下凹部４８内にそれぞれ進入した状態では、ばね４１の付勢力により、第１連結部９および第２連結部１０が、それぞれの回転位置において所定の保持力で保持される。
【０１４８】
図４１は、図３９に示す矢印Ｂ２−Ｂ２に沿って見た連結装置６の断面図であって、（ａ）は基準回転位置、（ｂ）は第１連結部９を基準回転位置から右側に約１８０°回転させた状態、（ｃ）は第１連結部９を基準回転位置から左側に約１８０°回転させた状態を示している。
【０１４９】
図３９および図４１を参照して、第２連結部１０の内筒部３３には、第２連結部１０に取り付けられる第２カバー３６の突出板４２に対向する位置に貫通孔５１が形成されていて、第２カバー３６が第２連結部１０に取り付けられると、突出板４２の先端部が貫通孔５１を貫通して、内筒部３３内に挿入されている第１連結部９の筒部２４に対向する。第１連結部９の筒部２４の外周面には、周方向に沿って環状溝５２が形成されていて、この環状溝５２内に、第２カバー３６の突出板４２の先端部が進入することにより、第１連結部９と第２連結部１０とが回転可能に連結される。
【０１５０】
環状溝５２は、突出板４２の厚みと同程度の幅（前後方向の長さ）で形成された第１溝部５３と、基準回転位置において突出板４２と反対側となる部分に、周方向に沿って所定長さだけ、第１溝部５３よりも大きい幅で形成された第２溝部５４とからなる。第２溝部５４内には、この第２溝部５４内の周方向に沿って変位可能な変位部材５５が配置されている。
【０１５１】
図４１（ａ）に示すように、第１連結部９が第２連結部１０に対して基準回転位置にあるときには、変位部材５５は、第１連結部９および第２連結部１０の回転中心に対して突出板４２と反対側にあり、突出板４２に接触することはない。
【０１５２】
図４１（ｂ）に示すように、第１連結部９を第２連結部１０に対して基準回転位置から右側（図４１における時計回り）に約１８０°回転させると、突出板４２が第１溝部５３から第２溝部５４に進入し、変位部材５５の一側面に接触して、変位部材５５が図４１における反時計回りに変位される。この状態では、変位部材５５の他側面が、第１溝部５３と第２溝部５４とを接続する段差面５６に当接し、第１連結部９が右側にこれ以上回転しないように規制される。
【０１５３】
一方、図４１（ｃ）に示すように、第１連結部９を第２連結部１０に対して基準回転位置から左側（図４１における反時計回り）に約１８０°回転させると、突出板４２が第１溝部５３から第２溝部５４に進入し、変位部材５５の他側面に接触して、変位部材５５が図４１における時計回りに変位される。この状態では、変位部材５５の一側面が、第１溝部５３と第２溝部５４とを接続する段差面５６に当接し、第１連結部９が左側にこれ以上回転しないように規制される。
【０１５４】
このように、第１連結部９および第２連結部１０は、基準回転位置に対して回転方向両側（左右両側）に約１８０°の角度範囲までしか回転できないので、第１連結９および第２連結部１０の回転角度が大きくなりすぎてリード線４５が切断されるのを防止できる。
【０１５５】
図４２は、図３３に示す状態から第１連結部９を第２連結部１０に対して左側に約９０°回転させた状態における電気掃除機用吸込具１の平面図である。また、図４３は、図４２に示す状態から第１連結部９を第２連結部１０に対して左側に約９０°回転させた状態、すなわち、図３３に示す状態から第１連結部９を第２連結部１０に対して左側に約１８０°回転させた状態における電気掃除機用吸込具１の側面図である。
【０１５６】
図３３に示す状態から、第２連結部１０を回転させることなく、第１連結部９を第２連結部１０に対して基準回転位置から左側に約９０°回転させると、第１連結部９に連結されている第１接続管７も左側に約９０°回転する。第１接続管７が回転すると、この第１接続管７に連結されている吸込部２の回転支持部１２が回転し、それに伴なって、吸込部本体１１が平面視で反時計回りに回転して、吸込部本体１１の右端および左端が前後に延びる状態、すなわち、平面視で第１接続管７が延びる方向とほぼ平行に吸込部本体１１の長手方向が延びる状態（平行姿勢）となる。
【０１５７】
この状態から第１連結部９を第２連結部１０に対してさらに左側に回転させると、吸込部本体１１の後端部（回転支持部１２側）が前端部（シャッター２０側）を軸に上方へと持ち上げられる。そして、第１連結部９を第２連結部１０に対して基準回転位置から左側に約１８０°回転させた状態では、図４３に示すように、吸込部本体１１が、その前面が床面Ｆに対向する状態で直立した姿勢（直立姿勢）となる。この状態では、平面視で接続管３が延びる方向に吸込部本体１１の長手方向が沿った状態となり、回転支持部１２は、この回動位置で、吸込部本体１１に対して所定の保持力で保持されるようになっている。回転支持部１２を吸込部本体１１に対して所定の保持力で保持するための機構は、図３８〜図４１において説明したような第１連結部９および第２連結部１０を連結する機構と同様の機構、すなわち、回転支持部１２および吸込部本体１１が互いに回転されるのに伴なって係止されるストッパと凹部とを備えた機構を採用できる。
【０１５８】
吸込部本体１１が直立姿勢になると、シャッター２０が床面Ｆに当接し、付勢手段の付勢力に抗してシャッター２０が回転することにより、図３７において説明したような態様でサブ吸込口１９が開放される（現れる）。開放されたサブ吸込口１９は床面Ｆに対向しており、吸込部本体１１が直立姿勢のときには、サブ吸込口１９から床面Ｆ上の塵埃を吸い込むことができる。吸込部本体１１が直立姿勢のときには、シャッター２０の平坦面２３（図３７参照）が床面Ｆに対向し、吸込部本体１１を直立姿勢で安定して保持することができるようになっている。
【０１５９】
なお、図３３に示す状態から第１連結部９を第２連結部１０に対して右側に回転させた場合には、図４２および図４３を用いて説明したのと同様の態様により、第１連結部９を右側に約９０°回転させた状態で、吸込部本体１１の左端および右端が前後に延びる平行姿勢となり、第１連結部９をさらに右側に約９０°回転させた状態（図３３に示す状態から右側に約１８０°回転させた状態）で、吸込部本体１１の前面が床面Ｆに対向する状態で直立した直立姿勢となる。
【０１６０】
この実施形態では、第２連結部１０に対して第１連結部９を回転させることにより、把持部５を回転させることなく、吸込部２を接続管３に対して基本姿勢、平行姿勢および直立姿勢の間で回動させることができる。したがって、吸込部２が基本姿勢、平行姿勢および直立姿勢のいずれのときでも（吸込部２の接続管３に対する回動位置に関わらず）、把持部５を回転させることなく握って掃除を行うことができるので、掃除を行ないやすい。
【０１６１】
広い床面Ｆ上を掃除する際には、吸込部２を基本姿勢とすることにより、サブ吸込口１９をシャッター２０で閉塞し、吸込部本体１１の底面に形成された吸込口１６から塵埃を良好に吸い込むことができる。一方、図４４および図４５に示すように、狭い間隔を空けて配置された家具５７の隙間のような床面Ｆ上の狭い隙間を掃除する際には、吸込部２を直立姿勢とすることにより、吸込部本体１１の短手方向の長さよりも狭い幅の隙間に吸込部２を挿入し、床面Ｆ上の塵埃をサブ吸込口１９から良好に吸い込むことができる。したがって、より狭い隙間の掃除を良好に行うことができる。
【０１６２】
また、第１連結部９を第２連結部１０に対して回転させるだけで、把持部５を回転させることなく、吸込部２を接続管３に対して基本姿勢、平行姿勢および直立姿勢の間で容易に回動させることができる。そのため、吸込部２の接続管３に対する回動位置に関わらず、把持部５を回転させることなく握って掃除を行うことができるので、掃除を行ないやすい。
【０１６３】
図４２に示すように、第１連結部９を第２連結部１０に対して基準回転位置から約９０°回転させた状態では、図３８〜図４１において説明したように、ストッパ３９の係止部４０が、左側に回転させたときには右凹部５０に、右側に回転させたときには左凹部４９に進入し、連結装置６の回転位置を、吸込部２が平行姿勢となった状態で保持することができる。したがって、壁際を掃除する際に、吸込部２を平行姿勢で保持し、吸込部本体１１をその長手方向が壁Ｗに沿うように安定して移動させることができるので、さらに掃除を行ないやすい。
【０１６４】
シャッター２０の前面の左右両端部には、補助ローラ５８が回転可能に取り付けられており、図４２に示す状態では、各補助ローラ５８の外周面が壁Ｗに当接する。したがって、吸込部本体１１を壁Ｗに沿って移動させたときに、各補助ローラ５８を壁に沿って転動させることができるので、吸込部本体１１を移動させやすい。
【０１６５】
図４３に示すように、第１連結部９を第２連結部１０に対して基準回転位置から約１８０°回転させた状態では、図３８〜図４１において説明したように、ストッパ３９の係止部４０が下凹部４８に進入し、連結装置６の回転位置を、吸込部２が直立姿勢となった状態で保持することができる。したがって、狭い隙間の掃除を行う際に、吸込部２を直立姿勢で安定して移動し、吸込部本体１１の短手方向の長さよりも狭い幅の隙間に吸込部２を安定して挿入することができるので、掃除を行ないやすく、狭い隙間の掃除をさらに良好に行うことができる。
【０１６６】
図４３に示す状態では、各補助ローラ５８の外周面が床面Ｆに当接する。したがって、吸込部本体１１を床面Ｆに沿って移動させたときに、各補助ローラ５８を床面Ｆに沿って転動させることができるので、吸込部本体１１を移動させやすい。
【０１６７】
また、吸込部本体１１の回動位置を、直立姿勢において平面視で接続管３が延びる方向に長手方向が沿った状態で保持することができるので、狭い隙間の掃除を行う際に、平面視で接続管３が延びる方向に沿って接続管３をスライドさせることにより、吸込部２を直立姿勢で長手方向に沿って安定して移動させることができる。したがって、狭い隙間の掃除をさらに良好に行うことができる。
【０１６８】
ストッパ３９により連結装置６の回転位置を保持する保持力は、吸込部本体１１の回動位置を、直立姿勢において平面視で接続管３が延びる方向に長手方向が沿った状態で保持する保持力よりも大きいことが好ましい。
【０１６９】
この場合、連結装置６に作用する保持力に抗して連結装置６を回転させることに追従させて、吸込部本体１１に作用する保持力に抗して吸込部２を基本姿勢と直立姿勢との間で回動させることができる。したがって、連結装置６を回転させるだけで、吸込部２を基本姿勢と直立姿勢との間で容易に回動させることができるので、操作性が向上する。
【０１７０】
また、吸込部２を直立姿勢として掃除を行なっているときに、吸込部本体１１が障害物に衝突した場合、連結装置６よりも吸込部本体１１の方が回転しやすい。回転した連結装置６を元の回転位置に戻すためには、第１接続管７と第２接続管８（の把持部５）とを両手で握り、それらを相対的に回転させる必要があるが、回転した吸込部本体１１を直立姿勢に戻す場合には、把持部５を片手で握ったまま吸込部本体１１を移動させて、吸込部本体１１を障害物に衝突させるなどして、吸込部本体１１に作用する保持力により再び吸込部２を直立姿勢に保持すればよい。したがって、連結装置６よりも吸込部本体１１の方が回転しやすい構成とすることにより、吸込部２を直立姿勢として掃除を行ないやすく、狭い隙間の掃除をさらに良好に行うことができる。
【０１７１】
さらに、この実施形態では、接続管３（第２接続管８）が、継手部１３を介して、吸込部本体１１の後面における長手方向および厚み方向の中央部に回動可能に接続されているので、吸込部２が直立姿勢のときに、接続管３から吸込部２に対して鉛直下方に外力が加わった場合でも、その外力が吸込部本体１１に対して短手方向に沿って作用するので、吸込部２が直立姿勢から転倒し難い。したがって、狭い隙間の掃除をさらに良好に行うことができる。
【０１７２】
図４６は、連結装置６の変形例を示す断面図であって、連結装置６を前後方向に沿った鉛直面で切断したときの断面を左方から見た図を示している。
【０１７３】
図４６を参照して、この変形例に係る連結装置６は、第１接続管７に連結される略円筒状の第１連結部５９と、第２接続管８に連結される略円筒状の第２連結部６０とを備えている。第１連結部５９および第２連結部６０は、それぞれの軸線がほぼ同一直線上に延びるように配置され、互いに同一軸線を中心にして回転可能に連結されている。
【０１７４】
第１連結部５９には、内部に第１接続管７が挿入される略円筒状の筒部６１と、この筒部６１の上面にビス止めされ、その外周面が筒部６１の外周面に連続するように取り付けられた第１カバー６２とが備えられている。筒部６１の上面と第１カバー６２の下面との間には空間６３が形成されており、この空間６３内に、筒部６１内に挿入される第１接続管７を係止するための係止爪６４が回動可能に配置されている。係止爪６４は、ばね６５により、図４６における時計回りに付勢されている。係止爪６４の一端部には、筒部６１の上面に形成された開口６６から筒部６１内に臨み、第１接続管７に係止するための係止部６７が形成されている。係止爪６４の他端部には、第１接続管７に対する係止爪６４の係止状態を解除するために操作される操作部６８が形成されている。第１カバー６２には、係止爪６４の操作部６８に対向する位置に貫通孔６９が形成されていて、この貫通孔６９に操作部６８が挿通されることにより、操作部６８が上方から操作可能となっている。
【０１７５】
第２連結部６０には、その前端部に第１連結部５９の後端部が嵌め込まれるとともに、その後端部が第２接続管８に挿入される筒部７０と、この筒部７０の上面にビス止めされ、その外周面が筒部７０の外周面に連続するように取り付けられた第２カバー７１とが備えられている。第１連結部５９の筒部６１には、その後端部の外周面に、円環状のパッキン７２が取り付けられていて、このパッキン７２の外周面が第２連結部６０の筒部７０の内周面に圧接されることにより、第１連結部５９と第２連結部６０内とが、密閉された状態で回転自在に連結されている。
【０１７６】
第２連結部６０の筒部７０の上面と第２カバー７１との間には空間７３が形成されており、この空間７３内に、第１連結部５９と第２連結部６０とを所定の回転位置で保持するためのストッパ（図示せず）が配置されている。第１連結部５９および第２連結部６０は、図３８〜図４１において説明した上述の実施形態に係る連結装置６と同様の構成により、ストッパを介して所定の保持力で保持される。
【０１７７】
第２カバー７１の下面には、下方に向かって突出する突出板７４が形成されている。第２カバー７１が第２連結部６０の筒部７０に取り付けられると、突出板７４の先端部が、第２連結部６０の筒部７０内に挿入されている第１連結部５９の筒部６１に対向する。第１連結部５９の筒部６１の外周面には、周方向に沿って環状溝７５が形成されていて、この環状溝７５内に、第２カバー７１の突出板７４の先端部が挿入されることにより、第１連結部５９と第２連結部６０とが回転自在可能に連結される。
【０１７８】
図４７は、変形例に係る連結装置６の第１連結部５９の平面図であって、第１カバー６２を取り外した状態を示している。
【０１７９】
図４６および図４７を参照して、第１連結部５９の筒部６１には、その後端部（環状溝７５よりも前側）の外周面に、それぞれ金属製で円環状の２つのリング状配線７６が、前後に所定の間隔を空けて並べて取り付けられている。第１連結部５９には、２つのピン受け部７７が、前後方向に延びるように形成されていて、これらの２つのピン受け部７７が、それぞれリード線７８を介して２つのリング状配線７６に接続されている。第１連結部５９が第１接続管７に連結されると、第１接続管７に備えられた２本の接続ピン（図示せず）が、それぞれピン受け部７７に挿入され、電気的に接続される。
【０１８０】
一方、第２連結部６０の第２カバー７１には、その前端面に形成された係止孔７９と、突出板７４に形成された係止孔８０とに係止された状態で、保持板８１が保持されている。この保持板８１の下面には、金属製の２つの接点部材８２が、前後に所定の間隔を空けて並べて取り付けられている。第１連結部５９と第２連結部６０とが連結された状態では、第１連結部５９の２つのリング状配線７６に第２連結部６０の２つの接点部材８２がそれぞれ当接し、第１連結部５９と第２連結部６０との相対的な回転に伴なって、各接点部材８２が、対応するリング状配線７６に摺接する。第２連結部６０には、金属製の２本の接続ピン８３が、後方に向かって突出形成されていて、これらの２つの接続ピン８３が、それぞれリード線８４を介して２つの接点部材８２に接続されている。第２連結部６０が第２接続管８に連結されると、２本の接続ピン８３が、それぞれ第２接続管８に備えられたピン受け部（図示せず）に挿入され、電気的に接続される。
【０１８１】
連結装置６により第１接続管７と第２接続管８とを連結した状態では、第１接続管７側と第２接続管８側とがリング状配線７６および接点部材８２を介して電気的に接続される。第１連結部５９と第２連結部６０との相対的な回転に伴なって互いに摺接するリング状配線７６および接点部材８２を用いて、第１接続管７側と第２接続管８側との通電を行なうことにより、第１連結部５９および第２連結部６０の回転位置に関わりなく、電気掃除機本体側から吸込部２側に常時電力を供給することができる。したがって、回転自在に連結された第１連結部５９および第２連結部６０を任意の回転位置まで回転させることができるので、使い勝手がよい。
【０１８２】
図４８は、連結装置６の他の変形例を示す左側面図である。この変形例に係る連結装置６において、先の連結装置６の各部に対応する部分には、同一の参照符号を付して示し、以下では、その部分についての詳細な説明を省略する。
【０１８３】
図４８を参照して、連結装置６は、第１連結部９に第１接続管７が連結されていないときに使用可能な補助具８５を備えている。補助具８５は、第１連結部９に対して左右方向に延びる回動軸８６を中心に回動可能に取り付けられた取付部８７と、取付部８７の回動軸８６と反対側に植設された複数の毛からなるブラシ部８８とを含む。
【０１８４】
第１連結部９に第１接続管７が連結されているときには、補助具８５は、図４８に実線で示すように、取付部８７が回動軸８６に対して下方に延びるような姿勢で、第１連結部９の外周面に沿った状態とされる。この状態では、ブラシ部８８が取付部８７から第１連結部９の外面に沿って後方に延びている。
【０１８５】
壁際の隅を掃除する場合などには、第１接続管７を第１連結部９から取り外し、回動軸８６を中心に補助具８５を図４８における時計回りに回動させることにより、補助具８５を使用可能な状態とすることができる。すなわち、補助具８５を回動させて、図４８に破線で示すように、取付部８７が回動軸８６に対して上方に延びるような姿勢で、第１連結部９の外周面に沿った状態にすると、ブラシ部８８が取付部８７から前方に向かって延び、第１連結部９の前端面よりも前方に張り出した状態となる。したがって、ブラシ部８８を用いて塵埃を掻き寄せることにより、壁際の隅などの掃除を良好に行うことができる。
【０１８６】
連結装置６は、第１連結部９および第２連結部１０が互いに回転可能に連結された構成となっているので、補助具８５を使用する際、第２連結部１０に対して第１連結部９を回転させることにより、把持部５を回転させることなく補助具８５の角度を調整することができる。したがって、補助具８５を用いて天井の掃除を行なう際などには、補助具８５の角度を、図４８に示す状態から１８０°反転させて使用することができるので、掃除を行ないやすい。
【０１８７】
図４９は、図３３に示す吸込部２の平面図であって、吸込部本体１１の一部を断面で示している。
【０１８８】
図３５および図４９を参照して、吸込部本体１１の後部左側には、回転ブラシ１８を回転させるためのモータ８９が備えられている。モータ８９の駆動軸９０は左方に向かって延び、その途中部にプーリ９１が取り付けられている。モータ８９の駆動軸９０に取り付けられたプーリ９１と、回転ブラシ１８の回転軸（図示せず）との間には、ベルト９２が掛け回されており、モータ８９を駆動させると、その駆動力がプーリ９１およびベルト９２を介して回転ブラシ１８の回転軸に伝達され、回転ブラシ１８が回転する。
【０１８９】
吸込部本体１１の後部右側には、左右方向に沿って延びる回転軸９３を中心に、ローラ９４が回転自在に支持されている。ローラ９４は、吸込部２が基本姿勢のときには、その外周面が床面Ｆに当接し、吸込部２の移動に伴なって床面Ｆ上を転動する。ローラ９４は、その回転軸９３が支持部材９５（図５０参照）に固定されることにより、支持部材９５に対して回転自在に取り付けられている。
【０１９０】
図５０は、ローラ９４および支持部材９５の構成を示す図であって、（ａ）は正面図、（ｂ）は右側面図を示している。
【０１９１】
図４９および図５０を参照して、支持部材９５は、左右方向に延びる軸部９６と、軸部９６の右側から径方向の同じ向きに突出する２つの支持板９７と、軸部９６の左側から径方向に突出する規制部９８とが一体的に形成された構成を有している。
【０１９２】
支持部材９５は、その軸部９６が、吸込部本体１１内に取り付けられたカバー部材９９により回動可能に保持されている。ローラ９４は、２つの支持板９７間に配置され、２つの支持板９７間に架け渡された回転軸９３により回転可能に支持されている。規制部９８は、軸部９６から径方向に突出し、軸部９６の軸方向に略直交する面内で、その先端に向かって略円弧状に湾曲した形状に形成されている。支持部材９５の軸部９６がカバー部材９９に回動可能に保持された状態では、カバー部材９９に形成された規制部収容室１００に規制部９８が収容される。規制部収容室１００には、規制部９８に係止して支持部材９５の回動を規制するための球体１０１が収容されている。球体１０１は、規制部収容室１００の内壁面（後壁面１００Ａ、左壁面１００Ｂおよび右壁面１００Ｃ）と、規制部９８の内面１０２（軸部９６に対向する側の面）との間に形成される空間内に配置されている。
【０１９３】
吸込部本体１１内におけるカバー部材９９の左側には、支持部材９５の回動を検知するための回動検知スイッチ１０３が配置されている。支持部材９５の軸部９６の左端部には、回動検知スイッチ１０３の下方に対向する位置に、軸部９６の径方向に突出する検知用突部１０４が形成されている。
【０１９４】
図５１は、図４９に示す矢印Ｃ−Ｃに沿って見た断面図であって、回動検知スイッチ１０３の近傍のみを示している。回動検知スイッチ１０３が、図５１（ａ）に示すような状態のときには、検知用突部１０４により回動検知スイッチ１０３のアクチュエータ１０５が押圧され、回動検知スイッチ１０３がオン状態となっている。一方、回動検知スイッチ１０３が、図５１（ｂ）に示すような状態のときには、検知用突部１０４による回動検知スイッチ１０３のアクチュエータ１０５に対する押圧が解除され、回動検知スイッチ１０３がオフ状態となっている。
【０１９５】
図５２は、図４９に示す矢印Ｄ−Ｄに沿って見た断面図であって、（ａ）は、吸込部本体１１が基本姿勢で床面Ｆに当接している状態、（ｂ）は、吸込部本体１１を基本姿勢で床面Ｆから持ち上げた状態を示している。
【０１９６】
吸込部本体１１が基本姿勢で床面Ｆに当接している状態では、吸込部本体１１の自重により、床面Ｆに当接しているローラ９４が上方に押圧され、図５２（ａ）に示すように、ローラ９４が吸込部本体１１内（カバー部材９９内）に収容された状態となる。この状態では、支持部材９５が吸込部本体１１側に回動し、検知用突部１０４が図５１（ａ）に示すような回動位置となることにより、回動検知スイッチ１０３がオン状態となる。
【０１９７】
吸込部本体１１が基本姿勢で床面Ｆから持ち上げられると、ローラ９４の自重により、図５２（ｂ）に示すように、支持部材９５が反時計回りに回動し、ローラ９４が吸込部本体１１内（カバー部材９９内）から下方に張り出した状態となる。この状態では、支持部材９５が吸込部本体１１側と反対側に回動し、検知用突部１０４が図５１（ｂ）に示すような回動位置となることにより、回動検知スイッチ１０３がオフ状態となる。
【０１９８】
図５２（ｂ）に示すような状態から吸込部本体１１が上下反転した姿勢になった場合などには、ローラ９４の自重により、支持部材９５が吸込部本体１１側に変位しようとするが、この場合には、支持部材９５の回動が、規制部９８と球体１０１との係止により規制されるようになっている。より具体的には、吸込部本体１１が基本姿勢で床面Ｆから持ち上げられた状態では、支持部材９５が図５２（ｂ）に示すような回動位置となり、図４９に示す規制部９８の先端面１０６と規制部収容室１００の後壁面１００Ａとの間に、球体１０１の直径と同程度の間隔が形成される。この状態から吸込部本体１１が上下反転すると、規制部収容室１００内に配置されている球体１０１が自重により下方（図４９における紙面手前側、すなわち規制部９８の先端面１０６側）に移動し、規制部９８の先端面１０６と規制部収容室１００の後壁面１００Ａとの間に球体１０１が位置した状態となる。この状態では、規制部９８が球体１０１に阻まれて元の位置（図４９に示す位置）に戻ることができず、支持部材９５が図５２（ｂ）に示すような回動位置のまま保持される。したがって、検知用突部１０４が図５１（ｂ）に示すような回動位置のまま保持され、回動検知スイッチ１０３がオフ状態で維持される。
【０１９９】
このような構成によれば、回動検知スイッチ１０３がオン状態のときには、吸込部本体１１が基本姿勢で床面Ｆに当接した状態であると判断し、モータ８９を駆動させて回転ブラシ１８を回転させることができ、回動検知スイッチ１０３がオフ状態のときには、吸込部本体１１が基本姿勢のまま床面Ｆから持ち上げられたり、吸込部本体１１が上下反転されるなど、床面Ｆに当接した状態ではなくなったと判断し、モータ８９の駆動を停止させて回転ブラシ１８を停止させることができる。したがって、吸込部本体１１が床面Ｆに当接していない状態で、回転ブラシ１８が露出したまま回転するのを防止できるので、安全性が向上する。
【０２００】
しかし、上記のような構成の場合、吸込部本体１１を直立姿勢として使用する場合にも、規制部９８の先端面１０６と規制部収容室１００の後壁面１００Ａとの間に球体１０１が位置した状態となり、規制部９８が球体１０１に阻まれて元の位置（図４９に示す位置）に戻ることができず、支持部材９５が図５２（ｂ）に示すような回動位置のまま保持される。したがって、検知用突部１０４が図５１（ｂ）に示すような回動位置のまま保持され、回動検知スイッチ１０３がオフ状態で維持されることとなり、回転ブラシ１８の回転が停止してしまうので、回転ブラシ１８により塵埃をサブ吸込口１９に掻き込むことができない。
【０２０１】
そこで、この実施形態では、吸込部本体１１が直立姿勢のときには、支持部材９５が図５２（ａ）に示すような回動位置で保持され、検知用突部１０４が図５１（ａ）に示すような回動位置のまま保持されることにより、回動検知スイッチ１０３がオン状態で維持されるようになっている。そのために、支持部材９５の右端部には、径方向（前方側）に突出するリンク用突部１０７が形成され、吸込部本体１１内におけるリンク用突部１０７の前方には、前後方向にスライドしてリンク用突部１０７に接触可能なスライド部材１０８が配置されている（図４９および図５０参照）。
【０２０２】
図５３は、図４９に示す矢印Ｅ−Ｅに沿って見た断面図であって、（ａ）は、吸込部本体１１が基本姿勢で床面Ｆに当接している状態、（ｂ）は、吸込部本体１１が直立姿勢で床面Ｆに当接している状態を示している。
【０２０３】
吸込部本体１１が基本姿勢で床面Ｆに当接している状態では、吸込部本体１１の自重により、床面Ｆに当接しているローラ９４が上方に押圧され、図５３（ａ）に示すように、ローラ９４が吸込部本体１１内（カバー部材９９内）に収容されている。この状態では、リンク用突部１０７が図５３（ａ）に示すような回動位置にあり、スライド部材１０８が前方に退避している。したがって、支持部材９５は、リンク用突部１０７がスライド部材１０８に接触することなく、図５３における反時計回りに回動可能であり、図５３（ａ）に示す状態から吸込部本体１１を持ち上げた場合には、ローラ９４の自重により、支持部材９５が反時計回りに回動し、ローラ９４が吸込部本体１１内（カバー部材９９内）から下方に張り出した状態となる。
【０２０４】
吸込部本体１１が直立姿勢にされると、シャッター２０が床面Ｆに当接することにより、付勢手段の付勢力に抗してシャッター２０が回動され、サブ吸込口１９が解放されるとともに、シャッター２０がシャッター収容領域２１に収容される。このとき、スライド部材１０８がシャッター２０の上端面により後方に押圧され、図５３（ｂ）に示すような位置までスライドする。この状態では、リンク用突部１０７がスライド部材１０８に接触し、支持部材９５の回動が規制されるので、ローラ９４が吸込部本体１１内（カバー部材９９内）に収容された状態のまま保持され、回動検知スイッチ１０３が、図５２（ａ）に示すようにオン状態で維持される。
【０２０５】
この構成によれば、吸込部本体１１が基本姿勢のときには、ローラ９４が底面Ｆに当接することにより、支持部材９５が吸込部本体１１側に変位した状態となり、吸込部本体１１が直立姿勢のときには、シャッター２０が床面Ｆに当接して変位し、サブ吸込口１９が開放されることに連動して、支持部材９５が吸込部本体１１側に変位した状態となる。したがって、吸込部本体１１が基本姿勢または直立姿勢のときには、回動検知スイッチ１０３がオン状態であること検知し、モータ８９の駆動を維持して回転ブラシ１８の回転を継続させることができる一方、吸込部本体１１が上下反転した姿勢となったときなどには、回動検知スイッチ１０３がオフ状態であることを検知し、モータ８９の駆動を停止して回転ブラシ１８の回転を停止させることにより、安全性を向上することができる。
【０２０６】
また、吸込部本体１１が直立姿勢のときには、支持部材９５（およびローラ９４）が吸込部本体１１側に変位した状態（吸込部本体１１内に収容された状態）となるので、吸込部本体１１に対するローラ９４の突出量が小さくなり、より狭い隙間に吸込部本体１１を挿入することができる。したがって、狭い隙間の掃除をさらに良好に行うことができる。
【０２０７】
図５４は、この発明の他の実施形態に係る電気掃除機用吸込具１の吸込部２の構成を示す底面図である。この吸込部２において、先の実施形態に係る吸込部２の各部に対応する部分には、同一の参照符号を付して示し、以下では、その部分についての詳細な説明を省略する。
【０２０８】
この吸込部２には、吸込部本体１１が直立姿勢になるのに連動して吸込口１６を閉塞する開閉板１０９が、吸込部本体１１の底面に取り付けられている。開閉板１０９は、吸込口１６よりも若干大きい略長方形状に形成され、その一方の長辺に沿って左右方向に延びる回動軸１０９Ａ（図５５〜図５７参照）を中心に、吸込部本体１１の底面に対して回動可能に取り付けられている。
【０２０９】
図５５は、吸込部本体１１の一部を断面で示した吸込部２の左側面図であって、吸込部２が基本姿勢で、シャッター２０が閉じた状態を示している。
【０２１０】
開閉板１０９は、可撓性を有する複数（たとえば、３つ）のフィルム部材１１０を介して、シャッター２０に連結されている。各フィルム部材１１０は、回転ブラシ１８の後方側に配置され、前端部がシャッター２０の上端部に固定されるとともに、後端部が吸込部本体１１の底面に形成された貫通孔１１１を通って開閉板１０９の上面に固定されている。図５５に示すように吸込部２が基本姿勢で、シャッター２０が閉じた状態では、各フィルム部材１１０が回転ブラシ１８に対して反対側に凸湾曲した状態となっている。
【０２１１】
図５６は、吸込部本体１１の一部を断面で示した吸込部２の左側面図であって、吸込部２が基本姿勢で、シャッター２０が開いた状態を示している。
【０２１２】
壁際の掃除を行なう際には、シャッター２０が壁Ｗに当接して回動することにより、図５６に示すように、吸込部２が基本姿勢のまま、シャッター２０が開き、サブ吸込口１９が開放された状態となる。このとき、シャッター２０が回動してシャッター収容領域２１に収容されるのに伴なって、各フィルム部材１１０の前端部が後方に変位される。しかし、開閉板１０９は、床面Ｆに対向しているために、回転軸１０９Ａを中心に吸込口１６を閉塞する方向（図５６における時計回り）に回転することができず、各フィルム部材１１０の後端部は変位しない。したがって、各フィルム部材１１０は、前端部と後端部との距離が縮まることにより、図５５に示す状態よりも大きく撓むこととなる。
【０２１３】
図５７は、吸込部本体１１の一部を断面で示した吸込部２の左側面図であって、吸込部２が直立姿勢となった状態を示している。
【０２１４】
吸込部２を直立姿勢とした場合には、シャッター２０が床面Ｆに当接して回動することにより、図５７に示すように、シャッター２０が開き、サブ吸込口１９が開放された状態となる。このとき、シャッター２０が回動してシャッター収容領域２１に収容されるのに連動して、各フィルム部材１１０も変位される。この場合、図５６の場合とは異なり、開閉板１０９が床面Ｆに対向していないので、各フィルム部材１１０の変位に伴なって、開閉板１０９が回転軸１０９Ａを中心に図２５における時計回りに回転し、吸込口１６が閉塞される。したがって、吸込部２が直立姿勢のときには、吸込口１６が閉塞されるので、サブ吸込口１９から塵埃を良好に吸い込むことができ、狭い隙間の掃除をさらに良好に行うことができるとともに、回転ブラシ１８が露出したまま回転するのを防止できるので、安全性が向上する。
【０２１５】
図５８は、この発明のさらに他の実施形態に係る電気掃除機用吸込具１の吸込部２の構成を示す底面図である。この実施形態に係る吸込部２において、先の実施形態に係る吸込部２の各部に対応する部分には、同一の参照符号を付して示し、以下では、その部分についての詳細な説明を省略する。
【０２１６】
この吸込部２における吸込部本体１１の後部左右両端には、それぞれ、前後方向に延びる回転軸１１２を中心に、ローラ１１３が回転自在に支持されている。各ローラ１１３は、その回転軸１１２が対応する支持部材１１４（図５９および図６０参照）に固定されることにより、各支持部材１１４に対して回転可能に取り付けられている。
【０２１７】
図５９は、図５８に示す吸込部２の吸込部本体１１を前後方向に沿った鉛直面で切断したときの断面を左方から見た断面図であって、シャッター２０が閉じた状態を示している。
【０２１８】
図５９に示すように、各支持部材１１４は、側面視略Ｌ字状に形成され、その屈曲部に形成された左右方向に延びる回動軸１１５を中心に、吸込部本体１１に対して回動可能に取り付けられている。各支持部材１１４は、吸込部本体１１内に配置され、その一端部に回転軸１１２を介してローラ１１３が回転自在に取り付けられている。各支持部材１１４の他端部には、ばね１１６の一端部を嵌め込むための突起１１７が後方に向かって突出形成されている。
【０２１９】
吸込部本体１１内には、その上面から下方に向かって突出する突出板１１８が形成されていて、この突出板１１８が、各支持部材１１４の後方に対向している。突出板１１８には、各支持部材１１４の突起１１７に対向する位置に、ばね１１６の他端部を嵌め込むための突起１１９が前方に向かって突出形成されている。
【０２２０】
各支持部材１１４の突起１１７にばね１１６の一端部を嵌め込み、対応する突出板１１８の突起１１９にばね１１６の他端部を嵌め込むことにより、各支持部材１１４の突出板１１８との間に、ばね１１６をある程度縮めた状態で挟持することができる。このばね１１６の付勢力により、各支持部材１１４は、図５９における反時計回りに付勢され、図５９のように、各支持部材１１４に外力が加わっていない状態では、各支持部材１１４の一端部に取り付けられているローラ１１３が、吸込部本体１１内に収容された状態となっている。
【０２２１】
図６０は、図５８に示す吸込部２の吸込部本体１１を前後方向に沿った鉛直面で切断したときの断面を左方から見た断面図であって、シャッター２０が開いた状態を示している。
【０２２２】
壁際の掃除を行なう際には、シャッター２０が壁Ｗに当接して回動することにより、図６０に示すように、シャッター２０が開き、サブ吸込口１９が開放された状態となる。このとき、シャッター２０が回動して吸込部本体１１内に収容されるのに伴なって、シャッター２０の上端部が各支持部材１１４の他端部に当接し、各支持部材１１４がばね１１６の付勢力に抗して時計回りに回転する。これにより、各支持部材１１４の一端部に取り付けられているローラ１１３が、吸込部本体１１の底面に形成された開口１２０から下方に露出し、床面Ｆに当接する。この状態で吸込部本体１１を左右方向に移動させた場合には、床面Ｆに当接する各ローラ１１３が回転軸１１２を中心に回転するので、吸込部本体１１を移動させやすい。
【０２２３】
したがって、壁際の掃除を行う際には、シャッター２０を壁Ｗに当接させて回動させることによりサブ吸込口１９を開放し、各ローラ１１３を転動させて吸込部本体１１を左右方向に移動させることにより、壁際の塵埃をサブ吸込口１９から一気に吸い込むことができる。したがって、壁際の掃除をより良好に行うことができる。
【０２２４】
図６１は、この発明のさらに他の実施形態に係る電気掃除機用吸込具１の吸込部２の構成を示す左側面図である。この実施形態に係る吸込部２において、先の実施形態に係る吸込部２の各部に対応する部分には、同一の参照符号を付して示し、以下では、その部分についての詳細な説明を省略する。
【０２２５】
この吸込部２における吸込部本体１１の前部左右両端には、壁際の隅などを掃除する際に用いる補助具１２１が備えられている。補助具１２１は、前後方向に延び、吸込部本体１１に対して前後方向にスライド可能に取り付けられた棒状の取付部１２２と、取付部１２２の前端部の下面から下方に向かって延びるように植設された複数の毛からなるブラシ部１２３とを含む。
【０２２６】
吸込部本体１１内には、左右方向に延びる回転軸（図示せず）を中心に回転可能なギア１２４が配置されており、補助具１２１の取付部１２２の上面には、ギア１２４の歯に噛
み合うラック（図示せず）が形成されている。ギア１２４の回転軸はシャッター２０に連結されていて、シャッター２０の開閉に伴なってギア１２４が回転することにより、このギア１２４に噛み合う補助具１２１が前後方向にスライドするようになっている。
【０２２７】
図６２は、図６１に示す吸込部２のシャッター２０が開いた状態を示す左側面図である。
【０２２８】
図６１に示すように、シャッター２０が閉じた状態では、補助具１２１は吸込部本体１１内に収容されているが、壁際の掃除を行う際には、シャッター２０が壁Ｗに当接して回動することにより、シャッター２０が開き、サブ吸込口１９が開放された状態となる。このとき、シャッター２０が開くのに伴なってギア１２４が時計回りに回転し、ギア１２４に噛み合う補助具１２１が前方に向かってスライドする。そして、図６２に示すように、シャッター２０が完全に開いた状態では、補助具１２１の前端が、平面視でシャッター２０の最前部（補助ローラ５８の外周面）とほぼ同じ位置まで突出した状態となる。したがって、図６２に示す状態から吸込部本体１１を壁Ｗに沿って移動させれば、各補助ローラ５８を壁Ｗに沿って転動させて吸込部本体１１を容易に移動させることができるとともに、補助具１２１の前端に備えられたブラシ部１２３を壁際に沿って移動させて塵埃を掻き寄せることができるので、壁際の隅などの掃除を良好に行うことができる。
【０２２９】
この発明は、以上の実施形態の内容に限定されるものではなく、請求項記載の範囲内において種々の変更が可能である。
【図面の簡単な説明】
【０２３０】
【図１】この発明の一実施形態に係る電気掃除機２００の右側面図である。
【図２】電気掃除機２００における吸込具２０５の姿勢を切り換える操作を説明するための図である。
【図３】吸込具２０５が起立姿勢に切り換えられた状態の電気掃除機２００の右側面図である。
【図４】回動機構２０９の具体的な構成例を示す図であり、操作部２０３部分の軸方向縦断面図である。
【図５】吸込具２０５の右側面図であり、被清掃面４００上で基本姿勢になった状態の図である。
【図６】吸込具２０５を左右方向中央で切断した縦断面図である。
【図７】吸込具２０５の平面図である。
【図８】吸込具２０５を起立姿勢にしたときの背面図である。
【図９】図８の部分断面図である。
【図１０】吸込具２０５を起立姿勢にしたときの右側面図である。
【図１１】起立姿勢の吸込具２０５の底面図である。
【図１２】吸込具２０５における、ハウジング２１４と連結機構２１６との回動可能な接続構造を説明するための図であり、ハウジング２１４を幅方向に垂直に切断した状態を正面側から見た正面側断面図である。
【図１３】吸込具２０５における、ハウジング２１４と連結機構２１６との回動可能な接続構造を説明するための図であり、ハウジング２１４を幅方向に垂直に切断した状態を正面側から見た正面側断面図である。
【図１４】吸込具２０５に備えられている移動補助部材の変形例を説明するための図であり、吸込具２０５が起立姿勢における背面図である。
【図１５】図１４に示す吸込具２０５の底面図である。
【図１６】吸込具２０５が起立姿勢において、ハウジング２１４の移動を補助するための移動補助部材のさらに他の構成例を説明するための図であり、起立姿勢の吸込具２０５の背面図である。
【図１７】図１６に示す吸込具２０５の底面図である。
【図１８】Ａ，Ｂは、それぞれ、起立姿勢の吸込具２０５の底面図である。
【図１９】シャッター２２５の変形例を示す図で、吸込具２０５の正面図である。
【図２０】シャッター２２５のさらに他の変形例を示す図であり、吸込具２０５が基本姿勢における正面図である。
【図２１】この発明の他の実施形態に係る吸込具２６５の基本姿勢の右側面図である。
【図２２】この発明の他の実施形態に係る吸込具２６５の基本姿勢の正面図である。
【図２３】この発明の他の実施形態に係る吸込具２６５の起立姿勢の正面図である。
【図２４】この発明のさらに他の実施形態に係る吸込具２７５の基本姿勢のときの平面図である。
【図２５】図２４に示す吸込具２７５の中央を前後方向に切断した縦断面を右側から見た右側縦断面図である。
【図２６】図８に示す吸込具２０５を隙間清掃のために隙間に挿入した状態を示す模式図である。
【図２７】吸込具２０５を変形し、ハウジング２１４の下端部と上端部とを比べると、下端部の方がその厚みが広いように構成された例を示す起立状態の背面図である。
【図２８】吸込具２０５を起立姿勢にし、電気掃除機を箒のごとく使用する状態を説明するための模式図である。
【図２９】この発明の別の実施形態に係る電気掃除機の構成を説明するための図であり、操作部２０３、吸込パイプ２０４および吸込具２０５の右側面図であって、吸込具２０５が基本姿勢の状態の図である。
【図３０】この発明の別の実施形態に係る電気掃除機の構成を説明するための図であり、操作部２０３、吸込パイプ２０４および吸込具２０５の右側面図であって、吸込具２０５が起立姿勢の状態の図である。
【図３１】吸込具２０５の平面図であり、ハウジング２１４が基本姿勢の状態の図である。
【図３２】回動機構２８０の構成例を説明するための、吸込具２０５の中央前後方向の縦断面図であり、左側から見た右断面図である。
【図３３】この発明の一実施形態に係る電気掃除機用吸込具の構成を示す側面図である。
【図３４】図３３に示す吸込部の平面図である。
【図３５】図３３に示す吸込部の底面図である。
【図３６】図３３に示す吸込部を前後方向に沿った鉛直面で切断したときの断面を左方から見た左側断面図であって、シャッターが閉じた状態を示している。
【図３７】図３３に示す吸込部を前後方向に沿った鉛直面で切断したときの断面を左方から見た左側断面図であって、シャッターが開いた状態を示している。
【図３８】図３３に示す連結装置の平面図である。
【図３９】図３８に示す矢印Ａ−Ａに沿って見た連結装置の断面図である。
【図４０】図３９に示す矢印Ｂ１−Ｂ１に沿って見た連結装置の断面図である。
【図４１】図３９に示す矢印Ｂ２−Ｂ２に沿って見た連結装置の断面図であって、（ａ）は基準回転位置、（ｂ）は第１連結部を基準回転位置から右側に約１８０°回転させた状態、（ｃ）は第１連結部を基準回転位置から左側に約１８０°回転させた状態を示している。
【図４２】図３３に示す状態から第１連結部を第２連結部に対して左側に約９０°回転させた状態における電気掃除機用吸込具の平面図である。
【図４３】図４２に示す状態から第１連結部を第２連結部に対して左側に約９０°回転させた状態、すなわち、図３３に示す状態から第１連結部を第２連結部に対して左側に約１８０°回転させた状態における電気掃除機用吸込具の側面図である。
【図４４】吸込部を直立姿勢として掃除を行う際の態様を示す平面図である。
【図４５】図４４に示す状態を水平方向後側から見た図である。
【図４６】連結装置の変形例を示す断面図であって、連結装置を前後方向に沿った鉛直面で切断したときの断面を左方から見た図を示している。
【図４７】変形例に係る連結装置の第１連結部の平面図であって、第１カバーを取り外した状態を示している。
【図４８】連結装置の他の変形例を示す左側面図である。
【図４９】図３３に示す吸込部の平面図であって、吸込部本体の一部を断面で示している。
【図５０】ローラおよび支持部材の構成を示す図であって、（ａ）は正面図、（ｂ）は右側面図を示している。
【図５１】図４９に示す矢印Ｃ−Ｃに沿って見た断面図であって、回動検知スイッチの近傍のみを示している。
【図５２】図４９に示す矢印Ｄ−Ｄに沿って見た断面図であって、（ａ）は、吸込部本体が基本姿勢で床面に当接している状態、（ｂ）は、吸込部本体を基本姿勢で床面から持ち上げた状態を示している。
【図５３】図４９に示す矢印Ｅ−Ｅに沿って見た断面図であって、（ａ）は、吸込部本体が基本姿勢で床面に当接している状態、（ｂ）は、吸込部本体が直立姿勢で床面に当接している状態を示している。
【図５４】この発明の他の実施形態に係る電気掃除機用吸込具の吸込部の構成を示す底面図である。
【図５５】吸込部本体の一部を断面で示した吸込部の左側面図であって、吸込部が基本姿勢で、シャッターが閉じた状態を示している。
【図５６】吸込部本体の一部を断面で示した吸込部の左側面図であって、吸込部が基本姿勢で、シャッターが開いた状態を示している。
【図５７】吸込部本体の一部を断面で示した吸込部の左側面図であって、吸込部が直立姿勢となった状態を示している。
【図５８】この発明のさらに他の実施形態に係る電気掃除機用吸込具の吸込部の構成を示す底面図である。
【図５９】図５８に示す吸込部の吸込部本体を前後方向に沿った鉛直面で切断したときの断面を左方から見た断面図であって、シャッターが閉じた状態を示している。
【図６０】図５８に示す吸込部の吸込部本体を前後方向に沿った鉛直面で切断したときの断面を左方から見た断面図であって、シャッターが開いた状態を示している。
【図６１】この発明のさらに他の実施形態に係る電気掃除機用吸込具の吸込部の構成を示す左側面図である。
【図６２】図６１に示す吸込部のシャッターが開いた状態を示す左側面図である。
【符号の説明】
【０２３１】
１  電気掃除機用吸込具
２  吸込部
３  接続管
５  把持部
６  連結装置
１６  吸込口
１９  サブ吸込口
２０  シャッター
３９  ストッパ
４１  ばね
４８  下凹部
９４  ローラ
９５  支持部材
１０３  回動検知スイッチ
１０７  リンク用突部
１０８  スライド部材
１０９  開閉板
Ｆ  床面
２００  電気掃除機
２０２  吸込ホース
２０３  操作部
２０４  吸込パイプ
２０５  吸込具
２０７  グリップ
２０８  サブグリップ
２０９  回動機構
２１４  ハウジング
２１５  接続筒
２１６  連結機構
２２３  底面
２２４  主吸込口
２２５  シャッター
２２６  コロ
２３２  回転ブラシ
２３３  軸
２３４，２３５  ブラシ
２３６  へら
２３７  モータ
２３８  副吸込口
２３９  補助吸込口
２４０  起毛布
２５０  ダブルコロ
２５４，２５５，２５６  起毛布
２６５  吸込具
２７５  吸込具
２７６  連結機構
４００  被清掃面
【図１】
2008012362.tif 000003
【図２】
2008012362.tif 000004
【図３】
2008012362.tif 000005
【図４】
2008012362.tif 000006
【図５】
2008012362.tif 000007
【図６】
2008012362.tif 000008
【図７】
2008012362.tif 000009
【図８】
2008012362.tif 000010
【図９】
2008012362.tif 000011
【図１０】
2008012362.tif 000012
【図１１】
2008012362.tif 000013
【図１２】
2008012362.tif 000014
【図１３】
2008012362.tif 000015
【図１４】
2008012362.tif 000016
【図１５】
2008012362.tif 000017
【図１６】
2008012362.tif 000018
【図１７】
2008012362.tif 000019
【図１８】
2008012362.tif 000020
【図１９】
2008012362.tif 000021
【図２０】
2008012362.tif 000022
【図２１】
2008012362.tif 000023
【図２２】
2008012362.tif 000024
【図２３】
2008012362.tif 000025
【図２４】
2008012362.tif 000026
【図２５】
2008012362.tif 000027
【図２６】
2008012362.tif 000028
【図２７】
2008012362.tif 000029
【図２８】
2008012362.tif 000030
【図２９】
2008012362.tif 000031
【図３０】
2008012362.tif 000032
【図３１】
2008012362.tif 000033
【図３２】
2008012362.tif 000034
【図３３】
2008012362.tif 000035
【図３４】
2008012362.tif 000036
【図３５】
2008012362.tif 000037
【図３６】
2008012362.tif 000038
【図３７】
2008012362.tif 000039
【図３８】
2008012362.tif 000040
【図３９】
2008012362.tif 000041
【図４０】
2008012362.tif 000042
【図４１】
2008012362.tif 000043
【図４２】
2008012362.tif 000044
【図４３】
2008012362.tif 000045
【図４４】
2008012362.tif 000046
【図４５】
2008012362.tif 000047
【図４６】
2008012362.tif 000048
【図４７】
2008012362.tif 000049
【図４８】
2008012362.tif 000050
【図４９】
2008012362.tif 000051
【図５０】
2008012362.tif 000052
【図５１】
2008012362.tif 000053
【図５２】
2008012362.tif 000054
【図５３】
2008012362.tif 000055
【図５４】
2008012362.tif 000056
【図５５】
2008012362.tif 000057
【図５６】
2008012362.tif 000058
【図５７】
2008012362.tif 000059
【図５８】
2008012362.tif 000060
【図５９】
2008012362.tif 000061
【図６０】
2008012362.tif 000062
【図６１】
2008012362.tif 000063
【図６２】
2008012362.tif 000064